(57)【要約】【課題】特定操作の阻害状態が解除された痕跡をより確実に残すことが可能な遊技機を提供する。【解決手段】基板ボックス３１１を開放する際に操作される破損用部材３５５の破損突部３８６は、封印シール３１３の前面部４０１内において、円弧状に移動可能な経路に沿って進行し、この破損突部３８６の進行に応じて封印シール３１３の支持される端部から破損突部３８６が通過する位置までの距離が変動しつつ、封印シール３１３が破損する。封印シール３１３の破損部分として皺になったり、引き裂かれたりする領域が破損突部３８６の進行経路に対して変化することとなり、封印シール３１３の破損の態様を多様にし、破損の復元作業を困難にすることができる。【選択図】  図１４
2014158593.tif 000002
【特許請求の範囲】
【請求項１】
薄板シート状の痕跡手段と、
該痕跡手段が固定される１又は複数の構成体と、
特定の操作により前記痕跡手段において予め定められた被破損部に当接し、該痕跡手段を破損させる破損部を有する破損手段と、
該破損手段を、前記特定の操作により予め定めた経路に沿って進行可能に支持する支持手段とを備え、
前記痕跡手段は、前記被破損部を含む平面又は略平面状の第１痕跡面部を有し、
前記構成体は、前記被破損部が設けられる部位に隙間を形成し、該隙間の両側にて前記第１痕跡面部が固定される被取付部を有し、
前記破損手段は、前記予め定めた経路として、前記第１痕跡面部に沿った方向側であって該第１痕跡面部内において前記破損部が進行可能に前記支持手段により支持され、
前記被取付部において前記隙間を形成する端縁の少なくとも一部は、前記予め定めた経路に沿って進行する前記破損部の経路に対しての距離が変動する形状とされていることを特徴とする遊技機。
【請求項２】
前記破損手段の破損部は、前記経路の進行方向先端側を向いた面が前記第１痕跡面部に当接し、該当接部分の幅として前記第１痕跡面部における前記破損部の通過した部位を帯状に切除可能な幅に設定されていることを特徴とする請求項１記載の遊技機。
【請求項３】
前記痕跡手段の第１痕跡面部における前記被取付部側の面には、前記痕跡手段を前記被取付部に固定するための接着手段が設けられ、
前記破損手段の破損部は、前記痕跡手段に当接する部位として前記経路の進行方向先端側を向く面であって前記接着手段が設けられる面側に向けて傾斜した接着面側向面を有する形状とされていることを特徴とする請求項１又は２記載の遊技機。
【発明の詳細な説明】
【技術分野】
【０００１】
本発明は、パチンコ機等の遊技機に関する。
【背景技術】
【０００２】
パチンコ遊技機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。この種の遊技機では、制御基板を正規のものとは異なる不正な制御基板に変更したり、ＲＯＭ（ＲＯＭがＣＰＵと共に１チップ化されている場合には当該チップ）を不正なものに交換したりする等の不正行為の発生が数多く報告されている。このような不正行為に対処すべく、例えば、基板ボックスを構成する複数のケース体を跨ぐように再貼付不可能であり且つ剥がすと痕跡が残る有脆弱性の封印シールを貼り付ける等の不正対策が採用されている（例えば特許文献１参照）。
【先行技術文献】
【特許文献】
【０００３】
【特許文献１】特開２００３−１８０９１７号公報
【発明の概要】
【発明が解決しようとする課題】
【０００４】
しかしながら、不正対策を施しても、その対策品に対して新たな不正行為をするための方法や器具等を犯罪者が開発する可能性がある。このため、不正対策の内容は更新され、より確実なものとするために改良することが好ましく、基板ボックスの開放操作は簡易にしつつも、その開放をした場合には、封印シールの再利用が不可能となって開放の痕跡が確実に残ることが好ましい。そして、この課題は、基板ボックスの開放操作などの特定操作を阻害するとともに、その阻害状態が解除された場合に、特定操作が行われたことの痕跡を残す痕跡手段を備えた遊技機に共通する課題である。
【０００５】
本発明は、上記例示した事情等に鑑みてなされたものであり、特性操作の阻害状態が解除された痕跡をより確実に残すことが可能な遊技機を提供することを目的とするものである。
【課題を解決するための手段】
【０００６】
上記課題を解決すべく、請求項１記載の発明は、
薄板シート状の痕跡手段と、
該痕跡手段が固定される１又は複数の構成体と、
特定の操作により前記痕跡手段において予め定められた被破損部に当接し、該痕跡手段を破損させる破損部を有する破損手段と、
該破損手段を、前記特定の操作により予め定めた経路に沿って進行可能に支持する支持手段とを備え、
前記痕跡手段は、前記被破損部を含む平面又は略平面状の第１痕跡面部を有し、
前記構成体は、前記被破損部が設けられる部位に隙間を形成し、該隙間の両側にて前記第１痕跡面部が固定される被取付部を有し、
前記破損手段は、前記予め定めた経路として、前記第１痕跡面部に沿った方向側であって該第１痕跡面部内において前記破損部が進行可能に前記支持手段により支持され、
前記被取付部において前記隙間を形成する端縁の少なくとも一部は、前記予め定めた経路に沿って進行する前記破損部の経路に対しての距離が変動する形状とされていることを特徴とする。
【発明の効果】
【０００７】
本発明によれば、特性操作の阻害状態が解除された痕跡をより確実に残すことが可能な遊技機を提供することができる。
【図面の簡単な説明】
【０００８】
【図１】パチンコ機の正面図である。
【図２】前方から見たパチンコ機の斜視図である。
【図３】パチンコ機の主要な構成を展開して示す斜視図である。
【図４】パチンコ機の主要な構成を展開して示す斜視図である。
【図５】中間ユニットの正面図である。
【図６】遊技盤の正面図である。
【図７】中間ユニットの背面図である。
【図８】裏パックユニットの背面図である。
【図９】パチンコ機の背面図である。
【図１０】主制御装置ユニットの正面図である。
【図１１】主制御装置ユニットの分解斜視図である。
【図１２】主制御装置の正面図である。
【図１３】主制御装置の分解斜視図である。
【図１４】基板ボックスの開放動作を示した斜視図である。
【図１５】主制御装置の右側部分の一部構成を分解して示した斜視図である。
【図１６】基板ボックスから封印シールとシールカバー部材を分解した状態を示した斜視図である。
【図１７】破損用部材の形状を示した斜視図、正面図及び断面図である。
【図１８】シールカバー部材の形状を示した斜視図、正面図及び側面図である。
【図１９】破損用部材の動作を示す基板ボックスの右側部分の正面図である。
【図２０】（ａ）は、シールカバー部材を断面視して示した基板ボックスの右側部分の正面図であり、（ｂ）は、図２０（ａ）の断面線における断面図である。
【図２１】（ａ）はシールカバー部材及び封印シールが取り付けられた基板ボックスの右側面図であり、（ｂ）は（ａ）の状態からシールカバー部材を外した状態、（ｃ）は（ｂ）の状態から封印シールを除いた状態を示している。
【図２２】破損用部材の動作を示した基板ボックスの斜視図である。
【図２３】封印シールの破損した態様を各方向側から示した図である。
【図２４】破損用部材の変形例の説明図である。
【図２５】破損用部材の変形例の説明図である。
【発明を実施するための形態】
【０００９】
以下、本発明の実施形態として、遊技機の一種であるパチンコ遊技機（以下、「パチンコ機」という）の実施例を説明し、その後に変形例を説明する。図１はパチンコ機１０の正面図、図２はパチンコ機１０を前方から見た斜視図、図３及び図４はパチンコ機１０の主要な構成を展開して示す斜視図、図５は中間ユニット１３の正面図である。なお、図３及び図５では便宜上パチンコ機１０の遊技領域２３ａ内の構成を省略している。
【００１０】
パチンコ機１０は、図３に示すように、当該パチンコ機１０の外殻を形成する外枠１１と、この外枠１１に対して前方に回動可能に取り付けられた遊技機本体１２と、を有する。外枠１１は、木製の板材を上辺及び下辺とし、アルミ製の板材を左右の辺とした四辺を固定した枠状に形成される。パチンコ機１０は、外枠１１を島設備に取り付け固定することにより遊技場に設置される。なお、パチンコ機１０において外枠１１は必須の構成ではなく、外枠１１又は外枠１１と同一の内形を有し、外枠１１の遊技機本体１２支持構造及び施錠構造を有する部材が遊技場に備え付けられた構成としてもよい。
【００１１】
遊技機本体１２は、図３に示すように、中間ユニット１３と、その中間ユニット１３の前方に配置される前扉枠１４と、中間ユニット１３の後方に配置される裏パックユニット１５とを備えている。遊技機本体１２のうち中間ユニット１３が外枠１１に対して回動可能に支持されている。
【００１２】
中間ユニット１３には、図３に示すように、前扉枠１４が回動可能に支持されており、正面視で左側を回動基端側（開閉基端側）とし、右側を回動先端側（開閉先端側）として前方へ回動可能とされている。また、中間ユニット１３には、図４に示すように、裏パックユニット１５が回動可能に支持されており、正面視で左側を回動基端側（開閉基端側）とし、右側を回動先端側（開閉先端側）として後方へ回動可能とされている。
【００１３】
中間ユニット１３には、図３に示すように、その回動先端部に施錠機構１６が設けられており、遊技機本体１２を外枠１１に対して開放不能に施錠状態とする機能と、前扉枠１４を中間ユニット１３に対して開放不能に施錠状態とする機能を有している。これらの各施錠状態は、図１に示すようにパチンコ機１０前面にて露出させて設けられた施錠機構１６のキーシリンダに対して、解錠キーを用いて解錠操作を行うことにより、それぞれ解除される。
【００１４】
中間ユニット１３は、図３に示すように、外形が外枠１１とほぼ同一形状をなす枠状の枠ユニット２１を主体に構成されている。枠ユニット２１には、前面側より遊技盤２３が着脱可能に取り付けられる内枠としての機能を有し、この遊技盤２３に形成される遊技領域２３ａが中間ユニット１３の前面側に露出可能に取り付けられる。遊技領域２３ａ内の様子は、図３に示すように、前扉枠１４の背面側に設けられた窓パネルユニット３０を通じてパチンコ機１０前方から視認可能となっている。
【００１５】
前扉枠１４は、中間ユニット１３の前面側に回動可能に取り付けられている。前扉枠１４の回動基端側には、図２に示すように、前扉取付金具５７，５８が設けられ、この前扉取付金具５７，５８が中間ユニット１３に係合することにより、中間ユニット１３に対して前扉枠１４が回動可能に支持される。
【００１６】
前扉枠１４は、図３に示すように、中間ユニット１３と外形がほぼ同一の長方形状に形成されている。前扉枠１４には、窓パネルユニット３０の外周縁が正面視で露出しないように窓パネルユニット３０より小さく開口形成された窓部１４ａが設けられる（図１参照）。この窓部１４ａが窓パネルユニット３０によって背面側から覆われることで、窓パネルユニット３０を取り付けた前扉枠１４によって中間ユニット１３の前面側のほぼ全域が覆われる。
【００１７】
窓パネルユニット３０は、図３に示すように、窓部１４ａより大きな外形で透明性を有する前後一対の透明ガラス３１，３２と、これら透明ガラス３１，３２を一体化する固定枠３３とを備えている。固定枠３３は、合成樹脂により透明ガラス３１，３２より一回り大きな環状に形成され、透明ガラス３１，３２の外周縁が固定枠３３に接着されることで窓パネルユニット３０は一体化された複層ガラスとされている。
【００１８】
なお、窓パネルユニット３０は、透明ガラス３１，３２によって無色透明に形成されているが、これに限定されることはなく合成樹脂によって無色透明に形成されていてもよく、パチンコ機１０前方から窓パネルユニット３０を通じて遊技領域２３ａを視認可能であれば無色透明でなく有色透明に形成されていてもよい。
【００１９】
前扉枠１４において窓部１４ａの周囲には、図１に示すように、ＬＥＤ等の発光手段を内蔵した電飾部２４が複数設けられている。これら電飾部２４では、大当たり時や所定のリーチ時等における遊技状態の変化に応じて点灯や点滅が行われる。また、窓部１４ａの上側の電飾部２４には、払出球が不足する等の所定のエラー時に点灯する発光手段と、賞球払出中に点灯する発光手段とが内蔵されている。また、窓部１４ａの右上側及び左上側には、遊技状態に応じた効果音などが出力されるスピーカ装置を覆うスピーカカバー２７が設けられている。
【００２０】
前扉枠１４における窓部１４ａの下方には、図２に示すように、手前側へ膨出した上側膨出部２８と下側膨出部２９とが上下に並設されている。上側膨出部２８には上方に開口した上皿２８ａが設けられており、下側膨出部２９には同じく上方に開口した下皿２９ａが設けられている。上皿２８ａは、払出装置２２４より払い出された遊技球を一旦貯留し、一列に整列させながら遊技球発射機構１１０側へ導く機能を有している。また、下皿２９ａは、上皿２８ａ内にて余剰となった遊技球を貯留する機能を有している。なお、上皿２８ａと下皿２９ａとに分けて複数箇所に遊技球を貯留する部位を設ける必要はなく、下皿２９ａを廃止して上皿２８ａのみとした１つの貯留部のみを有する構成としても良い。
【００２１】
上側膨出部２８における上皿２８ａ（遊技球の貯留領域）の手前側には、遊技者らにより手動操作される操作スイッチ４０が設けられている。操作スイッチ４０は、図柄表示装置９４の表示画面９４ａ等にて遊技者の操作に対応した演出が行われる場合に使用される操作装置である。この操作スイッチ４０は、上皿２８ａ以外に下皿２９ａ周辺等の別の部位に設けられても良いし、複数箇所に設けられても良く、また、操作方法として押しボタン式のスイッチであっても良く、タッチセンサ、非接触式のセンサ等の別の操作方法によって情報入力可能な構成としても良い。
【００２２】
前扉枠１４における下側膨出部２９の右側には、図２に示すように、手前側へ突出するようにして発射操作装置４５が設けられている。発射操作装置４５は、遊技領域２３ａに遊技球を発射すべく操作される装置であり、図２に示すように、操作ベース４６に対して、環状の操作ハンドル４７が回転可能に軸支されてなり、遊技球の発射操作に際して操作ハンドル４７が遊技者により回転操作されるものである。この場合、操作ハンドル４７の回転操作量は、操作ベース４６に内蔵された操作量検出手段としての可変抵抗器により検出される。また、発射操作装置４５には、操作ハンドル４７を遊技者が触れていることを検知するためのタッチセンサが操作ベース４６に内蔵されるとともに、操作ハンドル４７を回転操作した状態において遊技球の発射を停止させるために操作される停止操作レバー４８が設けられている。
【００２３】
前扉枠１４の背面側には、図３に示すように、通路形成ユニット５０が取り付けられている。通路形成ユニット５０は、合成樹脂により成形されており、上皿２８ａに通じる前扉側上皿通路部５１と、下皿２９ａに通じる前扉側下皿通路部５２と、ファール球通路部５５を有している。通路形成ユニット５０の上側隅部には後方に突出し上方に開放された払出球受口部５３が形成されており、当該受口部５３が仕切壁５４によって左右に仕切られることで前扉側上皿通路部５１の通路入口と前扉側下皿通路部５２の通路入口とがそれぞれ形成されている。
【００２４】
ファール球通路部５５は、遊技球発射機構１１０から発射された遊技球のうち遊技領域２３ａまで至らなかった遊技球をファール球として下皿２９ａに排出する通路を形成する部位である。ファール球通路部５５には、図３に示すように、上方に開放されたファール球受口部５６が設けられる。このファール球受口部５６よりファール球が受け入れられ、前扉側下皿通路部５２にファール球が案内されることにより、ファール球通路部５５に入った遊技球は下皿２９ａに排出される。なお、ファール球通路部５５は、下皿２９ａでなく、上皿２８ａに接続され、ファール球が上皿２８ａに排出される構成としても良い。
【００２５】
遊技球発射機構１１０は、図３に示すように、前扉枠１４を開放した場合に前面側に露出される部品であり、中間ユニット１３の前面側右下部分に設けられている。この遊技球発射機構１１０は、図５に示すように、発射装置として設けられた電磁式の発射用ソレノイド１１１と、発射レール１１２と、球送り装置１１３とを備えている。球送り装置１１３は、上皿２８ａに貯留された遊技球を発射レール１１２上に１個ずつ供給する。この場合、この供給される遊技球は発射用ソレノイド１１１において打出し部として設けられたプランジャ１１４の突出経路上に配置される。そして、発射用ソレノイド１１１への電気的な信号の入力により、プランジャ１１４が発射レール１１２上の遊技球に向けて移動し、当該遊技球は遊技領域２３ａに向けて打出される。なお、遊技球発射機構１１０の電動アクチュエータは、発射用ソレノイド１１１に限定されることはなく、発射モータなどを用いてもよい。
【００２６】
中間ユニット１３の左側であって発射レール１１２の左方には、図３に示すように、通路形成部材１２１が配設されている。枠ユニット２１には、通路形成部材１２１が設けられる部位を前後方向に貫通する貫通孔が設けられ、この貫通孔を前面側から覆うようにして通路形成部材１２１は、枠ユニット２１にネジ止めされている。
【００２７】
通路形成部材１２１は、図５に示すように、本体側上皿通路部１２２と本体側下皿通路部１２３とを有している。前扉枠１４が閉鎖状態とされた場合には、通路形成部材１２１の下側部分に前扉枠１４に設けられる通路形成ユニット５０の払出球受口部５３（図３参照）が入り込む。そして、本体側上皿通路部１２２の下方には前扉側上皿通路部５１が配置され、本体側下皿通路部１２３の下方には前扉側下皿通路部５２が配置される。
【００２８】
通路形成部材１２１の下側部分には、図５に示すように、本体側上皿通路部１２２及び本体側下皿通路部１２３からの遊技球の流出を規制するシャッタ１２４が設けられている。シャッタ１２４は、両通路の出口部分を狭め遊技球の流出を阻止する阻止位置と、遊技球の流出を許容する許容位置との両位置に切り替え可能に設けられる。また、枠ユニット２１には、シャッタ１２４を阻止位置に向けて付勢する付勢部材が取り付けられ、前扉枠１４を中間ユニット１３に対して開いた状態では付勢部材の付勢力によってシャッタ１２４が阻止位置に留まる構成となっている。これにより、本体側上皿通路部１２２又は本体側下皿通路部１２３に遊技球が貯留されている状態で前扉枠１４を開放した場合に、その貯留球がこぼれ落ちてしまうといった不都合が回避されている。これに対し、前扉枠１４を閉じた状態では、前扉枠１４の通路形成ユニット５０に設けられた払出球受口部５３の外周部分により上記付勢力に抗してシャッタ１２４が許容位置に押し戻される。この状態では、本体側上皿通路部１２２及び前扉側上皿通路部５１が連通し、本体側下皿通路部１２３及び前扉側下皿通路部５２が連通して、遊技球の流下が許容される。
【００２９】
次に、遊技領域２３ａを形成する遊技盤２３の構成を、図６に基づいて説明する。図６は遊技盤２３の正面図である。
【００３０】
遊技盤２３は、木製の合板で形成した板材と同板材の前側の板面を覆うシート材とを有する遊技板２３ｂを備えており、その全面が枠ユニット２１の前面側に露出している。この露出している部位、すなわち遊技盤２３の前面には、遊技球が流下する遊技領域２３ａが形成されている。上記したように遊技領域２３ａは透明ガラス３１，３２によって前面側が覆われているため、後側の透明ガラス３２によって遊技領域２３ａの前面側が区画される。また、遊技領域２３ａの背面側は遊技板２３ｂの前面によって区画される。なお、遊技板２３ｂを構成する板材は、合板に限らず一枚板で形成しても良いし、木製に限らず例えば透明な合成樹脂製の板材または成形品で形成しても良い。
【００３１】
遊技領域２３ａは、正面視において遊技盤２３の全域に渡る上下及び左右方向の寸法に設定され、右下部分のみが右下側に突出した略円形状に形成されている。遊技領域２３ａは、その外周が誘導レール１００及び区画部材１０７により区画されている。誘導レール１００は、遊技盤２３の左側全域に及ぶ大きさの円弧状の内レール１０１と外レール１０２とからなり、これら内レール１０１と外レール１０２とにより遊技領域２３ａの左側に円弧状の誘導通路１０３を形成する。
【００３２】
誘導通路１０３の下側端部には、誘導通路１０３の入口部１０４が形成され、この入口部１０４と発射レール１１２とは離間して設けられる（図５参照）。誘導通路１０３の上側端部には、誘導通路１０３の出口部１０５が形成され、その出口部１０５の右上側には遊技領域２３ａに到達した遊技球の誘導通路１０３内への戻りを防止する戻り防止部材１０６が取り付けられている。
【００３３】
発射操作装置４５（図１参照）の操作ハンドル４７が遊技者により手動操作された場合、中間ユニット１３の右下部分に設けられた遊技球発射機構１１０（図５参照）から発射された遊技球は、誘導通路１０３を経由し、誘導通路１０３の出口部１０５において戻り防止部材１０６により閉鎖された遊技領域２３ａの入口を押し広げて遊技領域２３ａ内に進入する。遊技球の発射力が弱すぎる場合には、遊技球が遊技領域２３ａまで至らず誘導通路１０３内で落下し始め、誘導通路１０３の入口部１０４と発射レール１１２との間に落下する。前扉枠１４の閉鎖状態においては、この入口部１０４と発射レール１１２との間にファール球受口部５６が配置され、遊技領域２３ａまで至らなかった遊技球はファール球通路部５５を経由して下皿２９ａへ排出される。
【００３４】
区画部材１０７は、遊技領域２３ａの右側を区画するものであり、合成樹脂を成形して縦長に形成され、遊技板２３ｂの前面にネジ止めされている。この区画部材１０７は、外レール１０２の上側における右側端部を起点とし、内レール１０１の下側における右側端部より下側まで延在している。
【００３５】
なお、区画部材１０７の上端部には、機種名が印字された証紙１０７ａが貼り付けられ、区画部材１０７の下端部には、メーカー名や製造番号などが印字された証紙１０７ｂを貼り付けた台座部品が固定されている。これら証紙１０７ａ，１０７ｂは、透明ガラス３１，３２を介してパチンコ機１０前方から視認可能な位置に配置される。
【００３６】
遊技板２３ｂには、ルータ加工が施されることによって前後方向に貫通する大小複数の開口部が形成されている。各開口部には一般入賞口８１、可変入賞装置８２、上作動口８３ａ、下作動口８３ｂ、スルーゲート８４、可変表示ユニット８５、主表示装置９６等が設けられている。
【００３７】
一般入賞口８１、可変入賞装置８２、上作動口８３ａ及び下作動口８３ｂへの入球が発生すると、それが遊技盤２３の背面側に配設された検知センサ（図示略）により検知され、その検知結果に基づいて所定数の賞球の払い出しが実行される。この場合、上作動口８３ａへの入球が発生した場合及び下作動口８３ｂへの入球が発生した場合には３個の賞球の払い出しが実行され、一般入賞口８１への入球が発生した場合には１０個の賞球の払い出しが実行され、可変入賞装置８２への入球が発生した場合には１５個の賞球の払い出しが実行される。但し、これら賞球の個数は任意であり、例えば上作動口８３ａに係る賞球個数よりも下作動口８３ｂに係る賞球個数が多いといったように、両作動口８３ａ，８３ｂの賞球個数が相違していてもよい。また、可変入賞装置８２に係る賞球個数が他の賞球個数に比べて多い構成に限定されることはなく、例えば一般入賞口８１に係る賞球個数と同一の構成としても良く、少ない構成としても良い。
【００３８】
遊技領域２３ａの中央部には、可変表示ユニット８５が設けられ、可変表示ユニット８５の構成部品として、絵柄の一種である図柄を変動表示（又は、可変表示若しくは切換表示）する図柄表示装置９４が遊技板２３ｂの背面側に設けられ、正面視で図柄表示装置９４の表示画面９４ａを囲むように設けられるセンターフレーム９５が遊技板２３ｂの前面側より取り付けられている。図柄表示装置９４の前面側であってセンターフレーム９５の後側には、ポリカーボネート等の透明な合成樹脂材料により形成された透明保護板が設けられ、図柄表示装置９４の表示画面９４ａは、その透明保護板を介して前面側から視認可能とされている。
【００３９】
遊技領域２３ａは、その中央部にセンターフレーム９５が設けられることで、センターフレーム９５の左右両側に位置する左側領域ＰＥ１と右側領域ＰＥ２とに区画され、遊技領域２３ａに発射された遊技球は、左側領域ＰＥ１または右側領域ＰＥ２のいずれか一方を流下することとなる。左側領域ＰＥ１及び右側領域ＰＥ２の下側には、両領域から流下した遊技球が合流して流下する下側領域ＰＥ３が遊技領域２３ａの一部として設けられている。
【００４０】
遊技領域２３ａへ遊技球が到達する回動量に操作ハンドル４７が操作されると、左側領域ＰＥ１または右側領域ＰＥ２のいずれか一方を遊技球が流下する。操作ハンドル４７の操作量が少なく、センターフレーム９５の一番上側の部位を超えない発射力となる回動操作量で遊技球が発射されると、遊技球は遊技領域２３ａの入口に近い左側領域ＰＥ１を流下する。その操作量より操作ハンドル４７の操作量が多く、センターフレーム９５の一番上側の部位を確実に超える発射力となる回動操作量で遊技球が発射されると、遊技球は右側領域ＰＥ２を流下する。それらの間部分に相当する回動操作量の場合には、遊技球は、左側領域ＰＥ１と右側領域ＰＥ２との両方に分散して流下する。遊技者は、操作ハンドル４７の回動操作量を調整することで、左側領域ＰＥ１と右側領域ＰＥ２とのいずれの領域を遊技球が流下するかを選択して遊技を行うことができる。
【００４１】
遊技盤２３の最下部には、アウト口８６が設けられ、左側領域ＰＥ１または右側領域ＰＥ２を流下して最終的に各種入賞口等に入らなかった遊技球はアウト口８６を通って遊技領域２３ａから排出される。遊技領域２３ａには、遊技球の落下方向を適宜分散、調整等するために多数の釘８７が植設され、風車等の各種部材（役物）が配設されている。
【００４２】
ここで、入球とは、所定の開口部を遊技球が通過することを意味し、開口部を通過した後に遊技領域２３ａから排出される態様だけでなく、開口部を通過した後に遊技領域２３ａから排出されない態様も含まれる。但し、以下の説明では、アウト口８６への遊技球の入球と明確に区別するために、一般入賞口８１、可変入賞装置８２、上作動口８３ａ、下作動口８３ｂ又はスルーゲート８４への遊技球の入球を、入賞とも表現する。
【００４３】
上作動口８３ａ及び下作動口８３ｂは共に上向きに開放されている。また、上作動口８３ａが上方となるようにして両作動口８３ａ，８３ｂは鉛直方向に並んでいる。下作動口８３ｂには、左右一対の可動片よりなるガイド片（サポート片）としての電動役物８３ｃが設けられている。
【００４４】
上作動口８３ａ及び下作動口８３ｂは、遊技領域２３ａの下側領域ＰＥ３に設けられている。上作動口８３ａは、センターフレーム９５の下部に設けられて遊技球が上面を転動するステージの直下に配置され、センターフレーム９５で形成された誘導通路（図示略）を介してステージ上に誘導され、誘導通路を経由しない遊技球より上作動口８３ａへ入賞しやすい構成とされている。この誘導通路の入口は、センターフレーム９５において左側領域ＰＥ１に面する左側部分に設けられ、また、ステージの下側から飛び込む遊技球として、左側領域ＰＥ１からの方がステージに飛び込み易い釘８７の配置とされている。すなわち、左側領域ＰＥ１を遊技球が流下した場合の方が、右側領域ＰＥ２を遊技球が流下する場合に比べて上作動口８３ａへの入賞が発生しやすい設定とされている。
【００４５】
電動役物８３ｃは遊技板２３ｂの背面側に搭載された電動役物駆動部に連結されており、当該電動役物駆動部により駆動されて閉鎖状態（非サポート状態又は非ガイド状態）及び開放状態（サポート状態又はガイド状態）のいずれかに配置される。電動役物８３ｃの閉鎖状態では遊技球が下作動口８３ｂに入賞できず、電動役物８３ｃが開放状態となることで下作動口８３ｂへの入賞が可能となる。電動役物８３ｃは、下側領域ＰＥ３で左右両側に開放可能とされ、左側領域ＰＥ１を流下した遊技球及び右側領域ＰＥ２を流下した遊技球のいずれも入賞可能とされている。
【００４６】
スルーゲート８４は、右側領域ＰＥ２に設けられ、遊技領域２３ａの入口から遠い側へ届く一定以上の強い発射力で発射された遊技球が入球可能に構成されている。スルーゲート８４の下側には、可変入賞装置８２が設けられ、可変入賞装置８２も右側領域ＰＥ２に設けられている。
【００４７】
可変入賞装置８２は、通常は遊技球が入賞できない又は入賞し難い閉状態になっており、大当たり当選といった開閉実行モード（特別遊技状態）への移行当選となった際に、遊技球が入賞しやすい所定の開放状態に切り換えられるようになっている。可変入賞装置８２の開放態様として具体的には、所定時間（例えば３０秒間）の経過又は所定個数（例えば１０個）の入賞を１ラウンドとして、複数ラウンド（例えば１５ラウンド）を上限として可変入賞装置８２が繰り返し開放される。
【００４８】
スルーゲート８４及び可変入賞装置８２は、遊技領域２３ａの右側領域ＰＥ２に設けられ、右側領域ＰＥ２を遊技球が流下するように一定以上に強い発射力で遊技球が発射された場合にスルーゲート８４及び可変入賞装置８２に遊技球が入賞する。スルーゲート８４に遊技球を入球させた場合に電動役物８３ｃが遊技者にとって有利な開放状態とされ易い遊技状態（いわゆる時短遊技状態）や、可変入賞装置８２が開閉実行モードとされる特別遊技状態等、遊技領域２３ａの右側領域ＰＥ２に遊技球を流下させた場合に遊技者にとって有利となる遊技状態においては、遊技者は、右側領域ＰＥ２を数多く遊技球が流下するように操作ハンドル４７を操作する。これに対し、上作動口８３ａに遊技球を多く入賞させて内部抽選の当選を期待する通常の遊技状態においては、遊技者は、左側領域ＰＥ１を数多く遊技球が流下するように操作ハンドル４７を操作して遊技を実行することとなる。
【００４９】
遊技者にとって有利となる回動操作量は図柄表示装置９４やスピーカの音声によって遊技者に報知され、遊技状態が切り替わるときに、例えば、「右打ちをしてください。」または、「左打ちをしてください。」と遊技者に表示または音声によって報知し、或いは、遊技者によって不利となる側に遊技球が発射されていることが、スルーゲート８４の通過や一般入賞口８１の入賞によって遊技機が認識した場合に、上記した報知が実行されて遊技者に有利となる操作ハンドル４７の回動操作量が遊技者に示唆される。
【００５０】
図柄表示装置９４は、液晶ディスプレイを備えた液晶表示装置として構成されており、表示制御装置１４２により表示内容が制御される。なお、図柄表示装置９４は、液晶表示装置に限定されることはなく、プラズマディスプレイ装置、有機ＥＬ表示装置又はＣＲＴといった表示画面を有する他の表示装置であってもよく、ドットマトリクス表示器であってもよい。
【００５１】
図柄表示装置９４では、上作動口８３ａ又は下作動口８３ｂへの入賞に基づいて図柄の変動表示が開始される。図柄表示装置９４における変動表示は、正面視で視認可能な視認可能領域において行われ、例えば上、中及び下に並べて図柄が表示され、これらの図柄が左右方向にスクロールされるようにして変動表示されるようになっている。そして、予め設定されている有効ライン上に所定の組み合わせの図柄が停止表示された場合には、開閉実行モードが発生することとなる。この図柄表示装置９４における変動表示は、主表示装置９６のメイン表示部において行われる変動表示に合わせて行われる。
【００５２】
可変表示ユニット８５に対して右上側には、遊技の状態を表示する主表示装置９６が設けられる。主表示装置９６は、複数の発光部が並んで配列されてなる表示器によって構成され、区画部材１０７の上端部に設けられ、その前面側には、例えば、左上側からメイン表示部、役物用表示部、状態表示部、保留表示部、補助表示部等が順に設けられる。
【００５３】
メイン表示部では、上作動口８３ａ又は下作動口８３ｂへの入賞をトリガとして絵柄の変動表示が行われ、その変動表示の停止結果として、上作動口８３ａ又は下作動口８３ｂへの入賞に基づいて行われた内部抽選の結果が表示によって明示される。つまり、本パチンコ機１０では、上作動口８３ａへの入賞と下作動口８３ｂへの入賞とが内部抽選において区別されておらず、上作動口８３ａ又は下作動口８３ｂへの入賞に基づいて行われた内部抽選の結果が共通の表示領域であるメイン表示部にて明示される。そして、上作動口８３ａ又は下作動口８３ｂへの入賞に基づく内部抽選の結果が開閉実行モードへの移行に対応した当選結果であった場合には、主表示装置９６のメイン表示部にて所定の停止結果が表示されて変動表示が停止された後に、開閉実行モードへ移行する。
【００５４】
ここで、いずれかの作動口８３ａ，８３ｂへの入賞に基づいて、メイン表示部及び図柄表示装置９４にて変動表示が開始され、所定の停止結果を表示し上記変動表示が停止されるまでが遊技回の１回に相当する。
【００５５】
役物用表示部では、スルーゲート８４への入賞をトリガとして絵柄の変動表示が行われ、その変動表示の停止結果として、スルーゲート８４への入賞に基づいて行われた内部抽選の結果が表示によって明示される。スルーゲート８４への入賞に基づく内部抽選の結果が電役開放状態への移行に対応した当選結果であった場合には、役物用表示部にて所定の停止結果が表示されて変動表示が停止された後に、電役開放状態へ移行する。電役開放状態では、下作動口８３ｂに設けられた電動役物８３ｃが所定の態様で開放状態となる。
【００５６】
補助表示部は、メイン表示部と同一の態様とされた発光部が設けられ、本実施例におけるパチンコ機１０においては、消灯されたままとされている。この補助表示部は、本実施例におけるパチンコ機１０とは別の他機種において上作動口８３ａへの入賞に対する内部抽選と下作動口８３ｂへの入賞に対する内部抽選とが区別される場合に点灯するものであり、メイン表示部を複数必要とする機種において使用される。
【００５７】
状態表示部は、メイン表示部にて所定の停止結果が表示されることで遊技状態が開閉実行モードへ移行し、その所定の停止結果の表示後における遊技回が所定回数に到達する等して遊技状態が開閉実行モード前の通常状態に移行する場合に、その遊技状態の変化が表示によって明示される。また、状態表示部では、開閉実行モードの移行当選となった場合に可変入賞装置８２の開放態様として複数種類のラウンド数が設定されている機種において移行当選となったラウンド数が表示によって明示される。
【００５８】
保留表示部は、遊技球が上作動口８３ａ又は下作動口８３ｂに入賞した個数及び遊技球がスルーゲート８４を通過した回数のうち未だ遊技が実行されていない保留状態の遊技回数を表示によってそれぞれ明示する。遊技球が上作動口８３ａ又は下作動口８３ｂに入賞した個数及び遊技球がスルーゲート８４を通過した回数はそれぞれ最大４個まで保留され、保留表示部によって各保留数がそれぞれ表示される。保留表示部の保留数に対応した情報は、図柄表示装置９４の表示画面にも表示され、保留数が数字又はキャラクタの個数などにより表示される。
【００５９】
なお、メイン表示部、役物用表示部、補助表示部、状態表示部及び保留表示部は、複数の発光部が所定の態様で配列されてなる表示器により構成されているが、これに限定されることはなく、いずれか一方または両方の表示部を液晶表示装置、有機ＥＬ表示装置、ＣＲＴ、セグメント表示器又はドットマトリックス表示器等その他のタイプの表示装置によって構成してもよい。また、メイン表示部及び役物用表示部にて変動表示される態様として、絵柄としての複数種の文字が変動表示される構成、複数種の記号が変動表示される構成、複数種のキャラクタが変動表示される構成又は複数種の色が切り換え表示される構成としても良い。
【００６０】
次に、遊技機本体１２の背面側の構成について、図４に加え、図７から図９を参照しながら説明する。図７は中間ユニット１３の背面図、図８は裏パックユニット１５の背面図、図９はパチンコ機１０の背面図である。
【００６１】
中間ユニット１３には、図７に示すように、枠ユニット２１によって開口形成される前後に貫通した遊技盤収容部２１ａが設けられ、この遊技盤収容部２１ａを通じて中間ユニット１３の背面側には遊技盤２３の背面側に搭載される各種部品が露出されている。
【００６２】
中間ユニット１３の背面側には、図４に示すように、合成樹脂により形成された箱状の盤裏カバー１４１が設けられている。盤裏カバー１４１は、遊技盤２３の背面のほぼ全域にわたって設けられ、遊技盤２３の背面側に設けられる各種部品を遊技球や搬送時において保護すると共に、遊技球の入賞を検知する検知センサ等を狙った不正を防止する機能を有している。
【００６３】
中間ユニット１３の背面側中央部には、図４に示すように、表示制御装置１４２と音声発光制御装置１４３とが前後に並んで設けられ、その下側には、遊技の主たる制御を司る主制御装置１６０が設けられている。表示制御装置１４２は、図柄表示装置９４の表示制御を司るものであり、音声発光制御装置１４３は、主制御装置１６０からの指示に従って音声やＬＥＤ、ランプ等の表示制御及び表示制御装置１４２の制御を司るものである。
【００６４】
枠ユニット２１の背面における回動基端側（図７の右側）には、上下に離間して支持金具１３２が設けられ、各支持金具１３２の上端部に形成される軸受け部１３３によって中間ユニット１３に対して裏パックユニット１５が回動可能に取り付けられる。また、枠ユニット２１の背面には、裏パックユニット１５を中間ユニット１３に固定するための固定レバー１３４が回動先端側（図７の左側）に複数設けられている。
【００６５】
次に、裏パックユニット１５について説明する。裏パックユニット１５は、図８に示すように、透明性を有する合成樹脂により形成された裏パック２０１と、払出ユニット２０２と、外部端子板２０３とを備えている。
【００６６】
裏パック２０１は、図８に示すように、裏パック２０１の周縁部を構成する裏ベース部２１１と、裏ベース部２１１から後方へ張り出すようにして形成された保護カバー部２１２とを有している。保護カバー部２１２は、左右側面と上面の全部が閉鎖され、背面下部から下面につながる一部分が開放された形状をなし、保護カバー部２１２の下側部分に前後方向に貫通した開口部２１２ａが形成されている。
【００６７】
外部端子板２０３は、図８に示すように、後方から見た裏パックユニット１５の右上側端部に設けられている。外部端子板２０３は、パチンコ機１０の状態を遊技ホールの管理コンピュータに認識させるために、所定の信号出力を行うための基板である。外部端子板２０３には、出力端子として、開閉実行モード中に信号出力するための出力端子、下作動口８３ｂの電動役物８３ｃが高頻度で開放状態となる電役開放状態中に信号出力するための出力端子、払出ユニット２０２において遊技球が不足した場合に信号出力するための出力端子、所定個数の賞球を払い出す毎に信号出力するための出力端子、所定個数の遊技球を貸し出す毎に信号出力するための出力端子、外枠１１に対する中間ユニット１３の開放時に信号出力するための出力端子、中間ユニット１３に対する前扉枠１４の開放時に信号出力するための出力端子などが設けられている。
【００６８】
裏パックユニット１５における背面視右側端部には、図８に示すように、上下一対の掛止ピン２０４が取り付けられている。この掛止ピン２０４を中間ユニット１３側の軸受け部１３３に挿通させることで、裏パックユニット１５が掛止ピン２０４を中心にして中間ユニット１３に対して回動可能に支持される。裏ベース部２１１における掛止ピン２０４が配置されていない反対側の端部には、中間ユニット１３に設けられた固定レバー１３４が挿通される挿通部２１１ａが上下に形成されている。固定レバー１３４が挿通部２１１ａに挿通されて９０度回転させた状態にすることで、固定レバー１３４の一部が裏ベース部２１１に後方から当接し、中間ユニット１３に裏パックユニット１５が固定される。
【００６９】
裏パックユニット１５は、上記したとおり、中間ユニット１３の背面に対して回動可能に軸支されている。裏パックユニット１５を中間ユニット１３に対して背面側から重ね合わせた状態では、図９に示すように、主制御装置１６０の大半は開口部２１２ａを介して背面側に露出し、主制御装置１６０の一部は保護カバー部２１２により覆われている。主制御装置１６０の一部には他の制御装置と電気的に接続するためのコネクタ及び配線が設けられ、この配線に関する部位を含む主制御装置１６０の一部が保護カバー部２１２に覆われることで、主制御装置１６０の視認性を高めつつ、不正行為の抑制及び遊技球の衝突による破損防止等を実現している。主制御装置１６０の上側に配置される音声発光制御装置１４３等は、保護カバー部２１２により全体が覆われている。
【００７０】
裏パックユニット１５は、図８に示すように、保護カバー部２１２を迂回するようにして裏ベース部２１１に取り付けられている払出ユニット２０２を備えている。払出ユニット２０２は、裏パック２０１の最上部に設けられて遊技球を貯留可能に上方に開口したタンク２２１と、タンク２２１内の遊技球を下流側に向けて案内可能に緩やかに傾斜するタンクレール２２２と、タンクレール２２２の下流側にて上下方向に遊技球を案内するケースレール２２３と、ケースレール２２３の最下流部に設けられる払出装置２２４とを有し、これらが連結することでタンク２２１に補給された遊技球を必要数分だけ払出装置２２４の下流側に払い出し可能とされている。払出装置２２４によって払い出された遊技球は、払出装置２２４の下流側に設けられた裏側通路部２２５に供給される（図４参照）。
【００７１】
裏側通路部２２５には、払出装置２２４より払い出された遊技球を上皿２８ａ、下皿２９ａ又は排出通路の何れかに振り分けるための３つの通路が形成されている。これら通路のうち、裏パック２０１の中央側に位置する通路が上記した本体側上皿通路部１２２及び前扉側上皿通路部５１を介して上皿２８ａに通じ、その外側の通路が本体側下皿通路部１２３及び前扉側下皿通路部５２を介して下皿２９ａに通じ、更に外側の通路が排出通路とされている。払出装置２２４によって払い出された遊技球は、上皿２８ａの通路に優先して案内され、その通路が遊技球で満たされると、その通路から分岐した下皿２９ａに通じる通路に遊技球が案内される。排出通路は、ケースレール２２３に対して排出操作を行うことにより、タンク２２１からケースレール２２３の途中までの間に貯留された遊技球が払出装置２２４を経由せずに裏パックユニット１５の下端に設けられる排出口から排出される。
【００７２】
裏ベース部２１１の背面側下端部には、図８に示すように、各種制御装置等で要する所定の電力を生成して出力する電源装置２４１と、払出制御装置２４２とが前後に重ねて取り付けられている。電源装置２４１は、裏ベース部２１１の横幅全域にわたって設けられている。裏ベース部２１１の背面視右下側端部には、電源スイッチ２４７が設けられている。パチンコ機１０へは電圧変換器を介して例えば交流２４ボルトの主電源が供給され、電源スイッチ２４７の切換操作によりパチンコ機１０の電源がＯＮ又はＯＦＦとされる。
【００７３】
払出制御装置２４２は、払出ユニット２０２を通じた遊技球の払い出しを制御するための装置である。払出制御装置２４２は、基板を収容するために設けられた透明性を有する基板ボックス２４３に払出制御基板を収容して構成されており、その開放に際しては痕跡を残す痕跡手段として開放封印部２４４が設けられている。開放封印部２４４は解除操作を一度行うと再結合を不可とするものであり、結果的に払出制御装置２４２の基板ボックス２４３は一度開放操作を行うと、再度封印状態とすることが不可となっている。
【００７４】
裏ベース部２１１の前面側すなわち中間ユニット１３側の下部には、図４に示すように、上方に開口した横長の球入口２１３と、側方に開口した球入口２１４とを上流側端部とする発射球排出通路が設けられている。遊技領域２３ａを流下しいずれかの開口を介して遊技盤２３の背面へと導かれた遊技球は、２つの球入口２１３，２１４のいずれかを経由して発射球排出通路内へ進入する。発射球排出通路の出口部分は裏パックユニット１５の下端面に遊技球１個分の幅で開口して形成され、遊技領域２３ａ内に発射された遊技球は全て発射球排出通路を経由して遊技ホールの島設備に排出される。発射球排出通路の途中には、遊技球を検知する検知センサが設けられ、遊技領域２３ａ内に発射された遊技球数に対応した信号が外部端子板２０３を介して出力される。
【００７５】
次に、主制御装置１６０及びその周辺部品の構成について、図１０から図１２を参照しながら説明する。図１０は、主制御装置ユニット３００の正面図であり、図１１は、主制御装置ユニット３００の分解斜視図である。また、図１２は、主制御装置１６０の正面図であり、図１３は、主制御装置１６０の分解斜視図である。ここで、主制御装置ユニット３００及び主制御装置１６０は、パチンコ機１０の背面側に向いた側を正面側として、以下、主制御装置ユニット３００及び主制御装置１６０の構成について説明する。なお、図１０には、盤裏カバー１４１の一部を併せて図示している。
【００７６】
主制御装置ユニット３００は、図１１に示すように、主制御装置１６０と、主制御装置１６０の左側部分を遊技盤２３の裏面側に設けられる盤裏カバー１４１に連結するボックス連結部材３０１と、主制御装置１６０の右側の一部分を覆いつつ主制御装置１６０の右側部分を遊技盤２３の裏面側に連結する外側カバー部材３０２を備えている。
【００７７】
主制御装置１６０は、図１３に示すように、透明な合成樹脂製のボックスカバー３５２及びボックスベース３５１により外形が形成される基板ボックス３１１を主体に構成され、前後方向に厚みを有する横長略矩形の箱状に形成された基板ボックス３１１内に主制御基板３１２（図１３参照）が収容されて構成されている。主制御基板３１２は、主たる制御を司るＣＰＵ、遊技プログラムを記憶したＲＯＭ、遊技の進行に応じた必要なデータを記憶するＲＡＭ等を備えている。主制御基板３１２においてＣＰＵチップなどの各種素子やコネクタ（図示省略）は、全て正面側に相当する同一の板面上に搭載され、その逆側に相当する裏面側の板面にて半田付けされている。
【００７８】
ボックス連結部材３０１は、図１０及び図１１に示すように、主制御装置１６０（基板ボックス３１１）の正面視左側（パチンコ機１０の背面視左側）に設けられ、縦長で透明な合成樹脂製の２部品を前後方向において破断ネジ３０３により固定して構成されている。ボックス連結部材３０１には、本体部を基準とした基板ボックス３１１が位置する側とは逆側となる反対側に、本体部の上部より側方に突出し、更に下方に延びる回動軸３３１が形成されている。ボックス連結部材３０１の回動軸３３１は、盤裏カバー１４１に設けられる軸受部３３２に挿入され、盤裏カバー１４１に対してボックス連結部材３０１が盤裏カバー１４１から離間する背面側に回動可能に支持される。盤裏カバー１４１は、遊技盤２３の外形を形成する遊技板２３ｂの裏面に固定される部材であり、遊技板２３ｂに対して、ボックス連結部材３０１に連結固定される主制御装置１６０が遊技板２３ｂの裏面側に回動可能に支持される。なお、ボックス連結部材３０１の回動軸３３１は、盤裏カバー１４１の軸受部３３２に対して、差し込み固定操作により軸受部３３２内の溝部に係合可能な爪部が設けられている。この爪部が軸受部３３２の外側から触れることができない軸受部３３２の内面側の溝部に係合し、盤裏カバー１４１とボックス連結部材３０１とは取り外し困難に連結される。
【００７９】
ボックス連結部材３０１には、図１１に示すように、基板ボックス３１１が設けられる一方側に対して、中央部分が開口した円筒状の破断ネジ挿入部３３３ａが上下に離間した４カ所において基板ボックス３１１側に突出して設けられている。基板ボックス３１１側には、破断ネジ挿入部３３３ａに対応した後側位置に破断ネジ３０３の先端部をネジ込み可能なネジ受け部３３３ｂが設けられる。破断ネジ挿入部３３３ａのうちの１カ所には破断ネジ３０３が挿入され、外周部分が覆われた状態の破断ネジ３０３が先端部分にて基板ボックス３１１に締結固定されることにより、ボックス連結部材３０１と基板ボックス３１１とが取り外し困難な状態で締結固定される。
【００８０】
ここで、破断ネジ３０３は、ドライバなどの工具の先端を差込可能な頭部と、ネジ溝が形成された軸部とを備え、頭部と軸部の連結部分の強度が低く設定されたものである。ネジ溝が挿入されてそれ以上締めることができない位置において頭部に対して工具により更に力が加えられると、頭部と軸部との連結部分が切断され、頭部が軸部から分離される。このため、破断ネジ３０３による締結後においては、上記工具を用いて緩める方向へ破断ネジを回転させることが不可となる。締結操作後の破断ネジ３０３の周囲は、破断ネジ挿入部３３３ａａ等の外周壁により囲われる設定とされ、これにより、頭部の分離後において軸部側に残存した部位の外周をペンチ等の工具により強固に挟んで、緩める方向へ軸部を回動させる締結解除行為が防止されている。
【００８１】
破断ネジ挿入部３３３ａと本体部との間には、破断ネジ挿入部３３３ａより細幅にくびれて形成された切断部３３５が設けられる。この切断部を工具により切断することで破断ネジ挿入部３３３ａがボックス連結部材３０１から分離し、パチンコ機１０から基板ボックス３１１が取り外し可能な状態となる。残り３カ所の破断ネジ挿入部３３３ａは、基板ボックス３１１を取り外した後に、同一の、又は別の基板ボックス３１１をボックス連結部材３０１に取り付ける場合に使用される部位であり、この破断ネジ挿入部３３３ａと本体部との切断状況を確認することで、基板ボックス３１１の取り外し回数を管理可能とされている。
【００８２】
外側カバー部材３０２は、図１１に示すように、主制御装置１６０（基板ボックス３１１）の右側の一部分を挿入可能に基板ボックス３１１の右側部分に対して上下及び前後方向に僅かに大きく形成された開口を有する透明な合成樹脂製の本体を主体に構成されている。外側カバー部材３０２は、主制御装置１６０の右側部分に対して前後に重なる位置に配置され、その右側部分を外側から視認可能としつつ、それら部位に対しての接触行為を制限する。
【００８３】
外側カバー部材３０２の開口部分における上下の両端部には、主制御装置１６０（基板ボックス３１１）の一部に対して係止可能に形成された上下一対の係止部３４１が設けられている。主制御装置１６０の右側を外側カバー部材３０２の開口内に挿入する操作をすると係止部３４１が弾性変形により主制御装置１６０の外側に移動した後に元位置に復帰する。この復帰動作により主制御装置１６０の一部に係止部３４１が係止され、主制御装置１６０から外側カバー部材３０２を取り外す方向側への移動が制限され、外側カバー部材３０２が主制御装置１６０に固定された状態で取り付けられる。
【００８４】
外側カバー部材３０２を主制御装置１６０から取り外す場合には、手や工具等を使って上下の係止部３４１を上下に離間する方向側へ移動する。この移動操作により係止部３４１による主制御装置１６０と外側カバー部材３０２との係止状態が解除され、外側カバー部材３０２を主制御装置１６０から取り外すことができる。なお、外側カバー部材３０２の主制御装置１６０への取り付け構造は、上記構造に限らず、ネジ等の締結部品を用いて固定する等、他の固定構造としても良い。
【００８５】
外側カバー部材３０２の右側部分には、図１０に示すように、本体とは別に構成されたカバー固定用部材３４２が上下に離間して２カ所に設けられている。カバー固定用部材３４２は、ボックス連結部材３０１により左側部分を軸として回動可能とされた主制御装置１６０の回動先端側を遊技板２３ｂの裏面側に固定する合成樹脂製の固定具である。カバー固定用部材３４２は、外側カバー部材３０２の本体に対して前後方向に移動操作をすることで相手部品への固定と固定解除とを切り替え可能に形成され、後側に押し込まれた状態においては外側カバー部材３０２の背面側に突出する突出先端部の外形が前後の軸方向に交差する径方向側において縮小し、前側に引き出し操作をすることで突出先端部の径方向において拡大した状態とされる。外側カバー部材３０２が取り付けられた状態の主制御装置ユニット３００は、カバー固定用部材３４２において外形が拡大した突出先端部が遊技板２３ｂの裏面にて前後方向に貫通する穴部の周縁に係合し、主制御装置ユニット３００の回動先端側部分が遊技板２３ｂの裏面に固定される。なお、外側カバー部材３０２による主制御装置１６０の固定構造は、上記した固定具に限らず、回転操作による固定具等、他の構造の固定具としても良い。
【００８６】
次に、基板ボックス３１１の構成詳細について、図１０から図１３に加えて、図１４以降を参照して説明する。図１４は、基板ボックス３１１の開放動作を示した斜視図であり、図１４（ａ）は、基板ボックス３１１の閉鎖状態に対応し、図１４（ｂ）は、基板ボックス３１１が開放方向へスライド移動された状態に対応する。図１５は、基板ボックス３１１への破損用部材３５５の取付構造を示す分解斜視図であり、図１６は、基板ボックス３１１から封印シール３１３とシールカバー部材３１９を分解した状態を示した斜視図である。なお、図１０から図１５において、主制御基板３１２に設けられる各種素子及びコネクタは図示を省略している。
【００８７】
基板ボックス３１１は、図１３に示すように、その外形の大部分を形成し、前後に厚みを有する板状の構成体を重ね合わせて形成され、それら構成体としてボックスベース３５１とボックスカバー３５２とを備えている。これらボックスベース３５１及びボックスカバー３５２は、基板ボックス３１１内に収容された主制御基板３１２の各種素子等が搭載された素子搭載面及び半田付けがされた半田面を基板ボックス３１１外から視認可能なように透明性を有する材料により形成されている。例えば、無色透明のポリカーボネート樹脂やアクリル樹脂等により形成される。
【００８８】
ボックスベース３５１は、図１３に示すように、基板ボックス３１１の前面側における外形の全体を形成する部材であり、前後方向に厚みを有し、主制御基板３１２の外周形状より僅かに大きなサイズで裏面側が開口した横長略矩形の有底箱状に形成されている。ボックスベース３５１には、その背面側から主制御基板３１２がネジ固定される。ボックスベース３５１への主制御基板３１２のネジ固定は、主制御基板３１２の半田面側から行われており、主制御基板３１２の素子搭載面に搭載された各種素子は、主制御基板３１２とボックスベース３５１との間に形成される空間内に収容される。
【００８９】
ボックスカバー３５２は、図１３に示すように、前後方向に厚みを有する横長略矩形の板状に形成され、ボックスベース３５１の外周形状とほぼ一致する大きさに形成されてボックスベース３５１において裏面側に開口した開口部分を閉鎖可能とされている。このボックスカバー３５２は、主制御基板３１２が一体化されたボックスベース３５１に対して、主制御基板３１２を挟むようにして基板ボックス３１１の裏面側から固定される。
【００９０】
ボックスベース３５１には、図１３に示すように、ボックスカバー３５２と係合してボックスカバー３５２との相対移動を一方側のみに制限するフック部３６１が一体成形により複数箇所に設けられている。これらフック部３６１は、ボックスベース３５１の上下の端縁に沿って左右方向に直線的に延びる長辺部において、それぞれ複数個ずつ設けられる（下側の長辺部におけるフック部３６１は図示省略）。各フック部３６１は、ボックスベース３５１において主制御基板３１２が取り付けられる裏面側に突出し、その突出先端部分において上下の長辺部に沿った一方側に突出した係止部３６２を有する鉤状に形成されている。係止部３６２の突出方向は、ボックスベース３５１に設けられるすべてのフック部３６１において同一方向に設定されている。
【００９１】
ボックスカバー３５２の上下の端縁に沿って左右方向に直線的に延びる上下の長辺部には、各フック部３６１に１対１で対応させて横長溝状に形成されたスリット３６３が設けられている（上側の長辺部におけるスリット３６３は図１５参照）。スリット３６３は、基板ボックス３１１の厚み方向、すなわちボックスカバー３５２とボックスベース３５１との並設方向に貫通し、各フック部３６１を内部に挿入可能とされている。すなわち、各スリット３６３は、各フック部３６１が設けられる間隔に対応し、且つ、各フック部３６１より僅かに大きな幅及び長さに設定されている。
【００９２】
ボックスカバー３５２において、各スリット３６３に対して係止部３６２が突出する方向側には、図１５に示すように、フック部３６１を係止するための受け部３６４が形成されている。この受け部３６４に対応して、ボックスベース３５１には、係止部３６２の突出方向側とは逆側（図１３の右下側）に延びて形成される溝部が係止部３６２の突出により本体部分との間に形成される。この係止部３６２により形成される溝部に入り込み可能なように、ボックスカバー３５２の受け部３６４における前後方向の厚みが設定されている。
【００９３】
ボックスベース３５１とボックスカバー３５２とを一体化させる際には、各スリット３６３に対して対応するフック部３６１が挿入されるようにボックスベース３５１とボックスカバー３５２とを重ねて組み合わせた状態とする（図１４（ｂ）におけるボックスベース３５１とボックスカバー３２５との相対位置）。この段階では、ボックスベース３５１とボックスカバー３５２とは、基板ボックス３１１の長手方向に相当する左右方向において相互にずれ、且つ、ボックスベース３５１とボックスカバー３５２とを厚み方向に離間可能な状態とされている。
【００９４】
その後、フック部３６１を構成する各係止部３６２が、それぞれに対応する各受け部３６４に対して基板ボックス３１１の裏面側に重なる位置に移動して係止されるように、ボックスベース３５１とボックスカバー３５２を相対的にスライド移動させる。ボックスベース３５１とボックスカバー３５２とは、係止部３６２の突出長さ分、スライド操作が可能であり、スライド操作がなされると、各フック部３６１が対応する受け部３６４に係止される。
【００９５】
スライド操作が不能な状態まで上記スライド移動を行うと、ボックスベース３５１の溝部の底部分にボックスカバー３５２の受け部３６４が当接し、その方向側へのスライド移動が不能となってボックスベース３５１とボックスカバー３５２の位置合わせが完了する（図１４（ａ）におけるボックスベース３５１とボックスカバー３２５との相対位置）。この位置合わせが完了した状態においては、後述する開放封印部３６６〜３６９に対応したカシメ部材３１４，３１５等を挿入可能に位置合わせされ、ボックスベース３５１とボックスカバー３５２とにより主制御基板３１２が収容された基板ボックス３１１の閉鎖状態となる。
【００９６】
ボックスベース３５１とボックスカバー３５２の閉鎖状態においては、ボックスベース３５１とボックスカバー３５２とを基板ボックス３１１の厚み方向（取り付け状態における前後方向）及び幅方向（取り付け状態における上下方向）、並びに、左右方向のうちボックスベース３５１とボックスカバー３５２との相互のずれを無くした一方向（閉鎖方向）への相対移動が制限される。即ち、ボックスベース３５１とボックスカバー３５２とは、それらの位置合わせ前であって相互に離間可能な開放可能位置側に相当する開放方向のみスライド移動可能な状態とされる。
【００９７】
なお、移動方向を制限する手段の構成は上記のものに限定されることはなく、ボックスベース３５１及びボックスカバー３５２のうちの一方にガイド用突条部を上下又は左右の辺に沿って形成するとともに、他方にガイド用突条部が嵌り込み可能であり嵌り込んだガイド用突条部を所定の方向のみにスライド移動可能とするガイド用溝部を形成する構成とする等他の構成を採用してもよい。
【００９８】
基板ボックス３１１の左側部分には、図１２に示すように、複数のネジ受け部３３３ｂの並び方向に沿って、基板ボックス３１１を開放困難に封印するための開放封印部３６６，３６７が上下方向に４つ並んで設けられている。開放封印部３６６，３６７の各々には、金属製のカシメ部材３１４，３１５が挿入され、カシメ部材３１４，３１５の先端部が基板ボックス３１１において外部から操作不能となるように壁部に覆われた位置に係止されて、カシメ部材３１４，３１５が抜き出し不能な状態とすることが可能とされている。４つの開放封印部３６６，３６７及びカシメ部材３１４，３１５の組合せのうち、上下両端の２カ所の組合せと、中央側の２カ所の組合せとは、同一の外形形状に形成されている。
【００９９】
カシメ部材３１４，３１５は、基板ボックス３１１の開放封印部３６６，３６７内に差し込み可能とされている。各開放封印部３６６，３６７は、ボックスベース３５１において前後に貫通する貫通穴を形成するカシメ部材挿通部と、ボックスカバー３５２においてカシメ部材３１４，３１５に対して外周を覆いつつ先端側部分を抜き出し不能に固定する有底穴形状のカシメ部材受け部により構成される。カシメ部材３１４，３１５は、ボックスベース３５１側のカシメ部材挿通部内に一部が位置し、先端側部分がボックスカバー３５２側のカシメ部材受け部に差し込み固定可能とされている。ボックスベース３５１とボックスカバー３５２とが並設される前後方向に沿って両部材により形成される開放封印部３６６，３６７に跨がるようにしてカシメ部材３１４，３１５のいずれかが差し込まれると、上記した開放方向側へのボックスベース３５１とボックスカバー３５２の相対移動が制限され、基板ボックス３１１が開放困難な封印状態とされる。
【０１００】
ここで、ボックスカバー３５２における開放封印部３６６，３６７が設けられる側には、カシメ部材３１４，３１５の先端側部分が進入可能な有底穴の周辺部を形成する縦長で合成樹脂製のカシメ受けカバー３５３が設けられている。カシメ受けカバー３５３は、ボックスカバー３５２の左辺部の長さに略一致する大きさでボックスカバー３５２とは別部材で成形される。カシメ受けカバー３５３は、ボックスカバー３５２の左側端部に前側よりスライド移動して取り付けられ、ボックスベース３５１とボックスカバー３５２との間に介在した状態でボックスカバー３５２に一体化される。このボックスカバー３５２とカシメ受けカバー３５３との間には、カシメ部材３１４，３１５の先端部において左右方向に貫通形成される係止穴に進入してカシメ部材３１４，３１５を抜き出し不能とする係止爪を有する金属板製のカシメ受け部材３５４が設けられている。
【０１０１】
上下４カ所の開放封印部３６６，３６７は、例えば、以下のように使用される。基板ボックス３１１の左側の開放封印部３６６，３６７のうち、上下の両端側に位置する２カ所の開放封印部３６６には、パチンコ機１０の遊技場への出荷前にカシメ部材３１４が差し込まれた封印状態とされ、この封印状態で基板ボックス３１１が開放困難な状態で遊技場等へ納品される。上下両端側の開放封印部３６６による封印状態は、その開放封印部３６６と基板ボックス３１１の中央側部分とを連結している一部分を切断することにより解除可能とされ、この解除操作により開放封印部３６６による基板ボックス１６４の封印状態が解除される。
【０１０２】
上下の両端部分を除いた中央側２カ所の開放封印部３６７には、カシメ部材３１５がボックスベース３５１側のみに挿通された非封印状態でボックスベース３５１側にカシメ部材３１５を支持する仮支持用の係止爪が設けられている。係止爪により非封印状態とされたカシメ部材３１５に対して工具等により更に奥側にカシメ部材３１５が差し込まれると、カシメ部材３１５によりボックスベース３５１とボックスカバー３５２との相対移動が制限された封印状態となる。このため、遊技場等にパチンコ機１０が納品された後に開放封印部３６７を用いて封印状態を形成することができ、基板ボックス３１１を検査等のために開放した場合、その後に遊技機メーカー等へ搬送する際に再度基板ボックス３１１を封印状態とすることが可能とされている。
【０１０３】
基板ボックス３１１における右側の端部にも、図１３に示すように、封印状態を形成するための開放封印部３６８，３６９が上下方向に離間して２カ所に設けられている。開放封印部３６８，３６９は、基板ボックス３１１の上下の両端側において右方に突出し、前側に開口した筒状に形成されている。右上側の開放封印部３６８には、破断ネジ３０３が挿入され、ボックスカバー３５２側において前後に貫通する貫通穴を通じて先端側部分がボックスカバー３５２側のネジ受け部３６８ａに締結固定される。破断ネジ３０３が固定されると、基板ボックス３１１の右側部分においてボックスベース３５１とボックスカバー３５２との開放方向側へのスライド移動が制限される。
【０１０４】
右下側の開放封印部３６９には、右上側の開放封印部３６８に対して破断ネジ３０３に代えてネジユニット３１７が挿入され、このネジユニット３１７の先端部がボックスカバー３５２側のネジ受け部３６９ａに締結固定されてボックスベース３５１とボックスカバー３５２とのスライド移動が制限される。ネジユニット３１７は、上記した破断ネジ３０３の頭部を、外形が六角形状の筒状部材３１７ａで覆って破断ネジ３０３と分離不能に一体化されて形成される。ネジユニット３１７においては、破断ネジ３０３が筒状部材３１７ａの内部で回転可能とされ、破断ネジ３０３の頭部が軸部から分離した場合に分離した頭部と軸部の一部分を共に筒状部材３１７ａの内部に収容して保持する。そして、破断ネジ３０３の頭部の外径より小さく、且つ、工具を挿入可能な挿通穴が筒状部材３１７ａの内外を連通しており、筒状部材３１７ａの内部には、挿通穴より大きな内径に形成されて破断ネジ３０３の頭部が収容された構成とされている。破断ネジ３０３を締結していくと破断ネジ３０３の軸部から頭部が分離し、この分離後においては、工具による軸部側へのアクセスが分離した頭部で制限されることとなって破断ネジ３０３の単体による締結より不正な軸部の取り外し操作が困難とされる。筒状部材３１７ａの外周部分に対して、開放封印部３６８は、僅かに大きく形成された同一の内径形状にて周囲を囲う形状とされ、筒状部材３１７ａが開放封印部３６８内にて回転しない設定とされている。これにより、筒状部材３１７ａを回転させることで破断ネジ３０３に回転力を加えてネジユニット３１７を取り外そうとする不正行為が防止される。
【０１０５】
右側に設けられる開放封印部３６８，３６９による基板ボックス３１１の開放制限を解除する際には、ボックスカバー３５２の右側端部に設けられてネジ受け部３６８ａ，３６９ａと中央側部分とを接続する細幅の連結部を切断する。すると、ボックスカバー３５２は、ボックスベース３５１の後側にて左方に相対移動が可能となり、開放封印部３６８，３６９による基板ボックス３１１の開放制限が解除される。
【０１０６】
基板ボックス３１１には、上記したように、左右両側に離間して複数の開放封印部３６６〜３６９が設けられるので、横長の基板ボックス３１１であっても、ボックスベース３５１とボックスカバー３５２との合わせ面をこじ開けて不正部品を挿入することを困難とすることができる。また、開放封印部３６６〜３６９の構造として、複数種類の構造を用いて封印状態が形成されているので、痕跡を残さずに不正に封印状態を解除する行為を困難にして不正抑止効果の高い基板ボックス３１１とすることができる。また、分離した破断ネジ３０３の頭部を保持可能な筒状部材を有するネジユニット３１７を一部の開放封印部３６９の封印に用いることで、破断ネジ３０３として筒状部材を有しないもののみでの封印に比べて解除困難な封印構造とすることができる。
【０１０７】
基板ボックス３１１において、上下に離間した右側の開放封印部３６８，３６９の間部分には、図１６に示すように、封印シール３１３が貼付される取付板部３７１〜３７３が設けられている。取付板部３７１〜３７３は、図１３に示すように、ボックスベース３５１によって基板ボックス３１１の右側に突出して形成され、取付板部３７１〜３７３のうち前側部分を形成する前側取付板部３７１，３７２と、ボックスカバー３５２によって基板ボックス３１１の右側に突出して形成され、前側取付板部３７１，３７２の後側に重なり、且つ、突出先端側の端縁が前後方向で略一致する長さに設定され、取付板部３７１〜３７３のうち後側部分を形成する後側取付板部３７３とにより構成される。
【０１０８】
前側取付板部３７１，３７２において前側を向いた面には、略矩形状をした封印シール３１３の一端側が固定され、後側取付板部３７３において後側を向いた面に封印シール３１３の反対側が固定される。すなわち、前側取付板部３７１，３７２と後側取付板部３７３とに跨がるようにして封印シール３１３が取り付けられ、図１６に示すように、前側取付板部３７１，３７２と後側取付板部３７３とに対して基板ボックス３１１の中心側とは逆側となる外側を経由したコ字状の断面を有する形態にて、封印シール３１３が基板ボックス３１１に貼付される。封印シール３１３は、前側取付板部３７１，３７２の前面側に貼り付けられる面により構成される前面部４０１と、後側取付板部３７３の後面側に貼り付けられる面により構成される背面部４０２と、前側取付板部３７１，３７２と後側取付板部３７３における基板ボックス３１１の側面に突出する突端側に貼り付けられる面により構成される側面部４０３とを有し、それらの範囲に跨がって貼付可能な大きさに設定されている。
【０１０９】
ここで、基板ボックス３１１を開放する際にボックスベース３５１とボックスカバー３５２の相対位置を閉鎖位置から開放位置に移動させるためには、封印シール３１３が貼付された前側取付板部３７１，３７２と後側取付板部３７３の外側の端縁を前後に重なった状態から左右方向にずれた状態とする必要がある。このため、封印シール３１３の側面部４０３を前後に分断しなければ、封印シール３１３によって接続された基板ボックス３１１は開放させることができず、封印シール３１３の切断状態の有無によって基板ボックス３１１の開放の有無を検出可能とされている。
【０１１０】
前側取付板部３７１，３７２は、図１５に示すように、縦長の長方形状で前後に厚みを有する平板状に形成され、また、上下方向における中央部分で分断されることで横方向に連続する隙間を形成している。以下、上下に分断された前側取付板部３７１，３７２のうち上側部分を前側上部取付板部３７１と称し、下側部分を前側下部取付板部３７２と称する。
【０１１１】
前側取付板部３７１，３７２には、図１５に示すように、前側上部取付板部３７１及び前側下部取付板部３７２のそれぞれに対して前後に貫通する貫通穴３７６が設けられている。前側取付板部３７１，３７２の貫通穴３７６は、後側に行くに従い次第に内径が狭まる円錐状の穴形状に形成され、これら貫通穴３７６には、頭部の端面が平面形状で軸側が円錐形をした小ネジで構成された板部固定ネジ３１８の軸部分が差し込まれ、板部固定ネジ３１８の頭部に前側取付板部３７１，３７２の貫通穴３７６の内面が当接して前側取付板部３７１，３７２が後側取付板部３７３に一体化される。
【０１１２】
後側取付板部３７３には、図１５に示すように、前側取付板部３７１，３７２の貫通穴３７６の形成位置に対応して前側に開口して形成された有底穴の締結受け部３７７が設けられている。締結受け部３７７は、板部固定ネジ３１８において雄ねじが形成された軸部分より小径の円形の内径形状に形成され、板部固定ネジ３１８の軸部分の先端側部分がねじ込まれることで板部固定ネジ３１８の頭部との間に前側取付板部３７１，３７２が挟まれた状態とされて一体化される。この板部固定ネジ３１８による固定は、封印シール３１３が取付板部３７２に貼付される前に行われ、封印シール３１３によって取付板部３７２の貫通穴３７６及び板部固定ネジ３１８が覆われる。このため、板部固定ネジ３１８による締結状態を解除する際には、封印シール３１３を破損させて上下２カ所に設けられる板部固定ネジ３１８の頭部を露出させる必要があり、板部固定ネジ３１８による締結解除に際しては封印シール３１３に痕跡が残る設定とされている。
【０１１３】
封印シール３１３は、略矩形の薄板シート状に形成され、裏面側全域に接着用の粘着剤が塗布され、表面側に種々の情報が表示された表示部４０４を有する部材である。この表示部４０４として封印シール３１３の表面側には、図１６に示すように、シールの仕様に関する情報としてシールに使用される技術に関する情報（例えば、「ミューチップ」（登録商標）等の文字若しくはロゴ）及び発行元の名称等（例えば、ＡＢ社等の文字）が表示される仕様情報表示部４０４ａ、封印シール３１３の開封を禁止する「開封禁止」等の文字で構成される禁止情報表示部４０４ｂ、不正な複製を困難にするための文字、色、模様若しくはホログラム又はこれらの複数を組合せた複製防止表示部４０４ｃ、封印シール３１３に対応させて各パチンコ機１０を管理可能な管理番号等の情報が付加された情報であって読み取り装置により読み取り可能なコード情報（バーコード又はＱＲコード（登録商標）等）と管理番号等が表示される識別情報表示部４０４ｄが設けられている。封印シール３１３の裏面側には、アンテナ付きＩＣチップ（図示省略）が設けられ、読み取り装置によりアンテナ部を通じて起電力を発生させ、ＩＣチップ内に書き込まれた個体情報が読み取り可能とされている。なお、図１６においては、封印シール３１３を取付板部３７１〜３７３に貼付された形態にて示し、また、封印シール３１３の外周形状を簡略化して直線的に示し、表示部４０４における表示内容を省略して示している。
【０１１４】
表示部４０４の大部分は、前側取付板部３７１，３７２の前面側に相当する前面部４０１側に設けられ、基板ボックス３１１の素子等を視認可能な正面側から封印シール３１３に表示される情報が視認可能とされている。また、各表示部４０４は、基板ボックス３１１を開放する際に破損させられる部位に重なる配置とされ、例えば、前面部４０１において板部固定ネジ３１８に重なる位置に対応して仕様情報表示部４０４ａと禁止情報表示部４０４ｂとが配置され、後述する破損用部材３５５により破損させられる位置に対応した前面部４０１における上下方向の中央部分に複製防止表示部４０４ｃと識別情報表示部４０４ｄとが配置されている。
【０１１５】
封印シール３１３の外周部分には、内側に向けて三角形状に切り欠かれた形状の切り込みが設けられている（図２３参照）。切り込みの底部分は、尖ったＶ字状に形成され、封印シール３１３に外力が作用した場合に封印シール３１３が破損し易いものとされている。また、封印シール３１３は、不正な剥離を防止するために、脆性を有するシートをベースとして形成することが好ましく、線状の切込みを複数設けておくことが好ましく、また、トルエンなどの溶剤や一定以上の熱に反応して変色する材料で形成することが好ましい。
【０１１６】
次に、図１４から図１６に加えて図１７から図２１を参照して、基板ボックス３１１に設けられる破損用部材３５５とシールカバー部材３１９について順に説明する。図１７（ａ）は破損用部材３５５を前側から見た斜視図であり、図１７（ｂ）は破損用部材３５５の正面図、図１７（ｃ）から図１７（ｅ）は、図１７（ｂ）のＡ−Ａ線、Ｂ−Ｂ線、及びＣ−Ｃ線における各断面を拡大して示した図である。図１８（ａ）はシールカバー部材３１９を前側から見た斜視図、図１８（ｂ）はシールカバー部材３１９を後側から見た斜視図、図１８（ｃ）及び図１８（ｄ）はシールカバー部材３１９の正面図及び右側面図である。図１９は、破損用部材３５５の動作を示す基板ボックス３１１の右側部分の正面図であり、図１９（ａ）は、破損用部材３５５が初期位置に配置された状態を示し、図１９（ｂ）は、破損用部材３５５が突出位置に配置された状態を示している。図２０（ａ）は、（ａ）は、シールカバー部材３１９を断面視して示した基板ボックス３１１の右側部分の正面図であり、図２０（ｂ）は、図２０（ａ）の断面線における断面図である。なお、理解の容易のために、図１７（ｃ）には、破損用部材３５５を回動可能に支持するボックスベース３５１の一部（軸支持部３７８）の外形を一点鎖線で示し、図１７（ｅ）には、破損用部材３５５に対して封印シール３１３が設けられる相対位置を一点鎖線で示している。また、図２０（ｂ）においては、ボックスベース３５１に対してボックスカバー３５２を後側に移動可能な位置までスライドさせた状態を示している。
【０１１７】
基板ボックス３１１における前側取付板部３７１，３７２と後側取付板部３７３との間には、図１５に示すように、封印シール３１３を破損させるための破損用部材３５５が設けられている。破損用部材３５５は、基板ボックス３１１を開放する際に、ボックスベース３５１とボックスカバー３５２とを跨いで貼付される封印シール３１３を切断し、基板ボックス３１１の開放を容易にする部材である。破損用部材３５５は、縦長で合成樹脂製の破損ベース３８１と、鋼板により形成された破損板金３８２とを有している。
【０１１８】
破損ベース３８１には、図１５及び図１７に示すように、上端側に位置し、前後方向に貫通する軸穴を形成する円筒状のベース軸受部３８３と、ベース軸受部３８３から離間する方向側に延びた縦長板状のベース板部３８４と、ベース板部３８４の回動先端側に設けられる破損操作部３８５と、ベース板部３８４の中央部付近において左側に偏った位置より前側に突出した破損突部３８６とが設けられている。
【０１１９】
ベース軸受部３８３は、図１７（ｃ）に示すように、前後方向における中央部分において内径が小さく形成され、その前後の内径が大きく形成された段付き状の軸穴を有している。ボックスベース３５１には、図１５に示すように、前側取付板部３７１，３７２の上方側にて右方に突出し、更に、その先端部分が前方に向けて段付き円柱状に突出した軸支持部３７８が設けられている。ベース軸受部３８３は、ボックスベース３５１の軸支持部３７８に対して前方より嵌め込まれ、小さく形成された軸穴部分が軸支持部３７８の先端側の細軸部分に嵌まり込み、大きく形成された軸穴部分が軸支持部３７８の根元側の太軸部分に嵌まり込むことで、軸支持部３７８に対してベース軸受部３８３が回動自在に支持される。これにより、ボックスベース３５１に対して破損用部材３５５が軸支持部３７８を中心として回動自在とされる。
【０１２０】
ベース板部３８４は、図１５に示すように、前後方向に厚みを有する板状に形成され、その前面側に破損板金３８２が取り付けられる。破損板金３８２は、縦長略矩形状に形成され、上下方向に延びる左側の縁部分における略中央の高さ位置にて右側に凹んだ取付凹部３８７を有する形状とされている。ベース板部３８４の上下方向における中央部分には、その前側の板面に対して前方側に突出した横長の突条部３８８が設けられ、突条部３８８の右側端部には、ベース板部３８４における前側の板面より前方側に破損板金３８２の厚み分の隙間を隔てて右側に突出した板金支持部３８９が設けられている。破損板金３８２は、取付凹部３８７によって突条部３８８が上下に挟まれた状態とされる位置にてベース板部３８４の前側に取り付けられ、板金支持部３８９とベース板部３８４との間に破損板金３８２が挟まれた状態となって前後方向への移動が制限されている。
【０１２１】
ベース板部３８４の上下の端部には、上記した板部固定ネジ３１８を挿通可能とするように前側取付板部３７１，３７２の貫通穴３７６に対応した位置に、前後方向に貫通する貫通穴３９１が設けられ、破損板金３８２にも、ベース板部３８４の貫通穴３９１と同一箇所において前後方向に貫通する貫通穴３９２が設けられている。これらの貫通穴３９１，３９２は、板部固定ネジ３１８により前後の取付板部３７１〜３７３が締結固定された状態において板部固定ネジ３１８の軸部分が挿通され、板部固定ネジ３１８を抜き出さない限りは、破損用部材３５５が板部固定ネジ３１８に当接するために破損用部材３５５が回動不能とされ、不用意に封印シール３１３側に破損用部材３５５が移動することが防止されている。
【０１２２】
ベース板部３８４の貫通穴３９１の縁部分は、図１７（ｃ）に示すように、破損板金３８２側に環状に突出し、破損板金３８２の貫通穴３９２は、ベース板部３８４において環状に突出した部位の外側に嵌まる大きさに設定されている。破損板金３８２は、中央部分に対して上下部分を前側に屈曲するように弾性変形させた状態にして互いの貫通穴３９１，３９２の中心が一致するように位置合わせして破損ベース３８１に取り付けられる。
【０１２３】
破損ベース３８１におけるベース板部３８４の上下の端側には、図１５に示すように、ベース板部３８４の板面に対して直交する平面状にて前後及び右側に突出した壁面を形成する上下の板壁部３９３が一体形成されている。上下の板壁部３９３の対向面の間隔は、破損板金３８２の上下長さに略一致し、詳細には僅かに大きな間隔に設定され、ベース板部３８４の上下両側の板壁部３９３に破損板金３８２が当接することで破損板金３８２の上下方向側への移動及びベース板部３８４の前側の板面上における破損板金３８２の回動が制限される。以上のように、破損ベース３８１に対して破損板金３８２は、相対的な移動及び回動といった相対変位が制限され、破損用部材３５５として一体化された状態で破損ベース３８１と破損板金３８２とが動作する。
【０１２４】
破損ベース３８１における上下の板壁部３９３は、図１９（ａ）に示すように、破損用部材３５５が基板ボックス３１１に取り付けられた初期位置において前側取付板部３７１，３７２の上下の端縁に対して上下両側に近接し、且つ、図１６に示すように、前側取付板部３７１，３７２に封印シール３１３が貼付される前面及び側面に対して前側及び外側に突出し、前側取付板部３７１，３７２の外周の一部を囲う形状とされている。ボックスベース３５１側にも、前側取付板部３７１，３７２の前面外周部分を囲う部位として、前側取付板部３７１，３７２の上下両側及び左側において前側に突出したガイド壁部３９４が設けられている。
【０１２５】
ガイド壁部３９４は、前側上部取付板部３７１及び前側下部取付板部３７２の外縁に沿って上下方向に延びて形成され、その上側及び下側の角部にて曲折して右方に延びて設けられている。ガイド壁部３９４の上下における右側端縁に対して、破損ベース３８１の上下の板壁部３９３が右側に連続する位置に設けられ、左右方向に連続する壁面を前側取付板部３７１，３７２の周囲に形成する。これら上下の板壁部３９３及びガイド壁部３９４により、封印シール３１３の貼付作業時において前側取付板部３７１，３７２に対する封印シール３１３の位置合わせを容易にすることができる。
【０１２６】
破損ベース３８１における上側の板壁部３９３は、ベース軸受部３８３における円筒形状の下側部分において右側に接線方向に突出した壁状に形成され、ベース軸受部３８３の一部により上側の板壁部３９３の一部が形成されている。また、破損ベース３８１における下側の板壁部３９３は、破損操作部３８５を形成する壁部に連続した形状とされている。上記したように、上下の板壁部３９３は、前側取付板部３７１，３７２の外周部分を囲う部位であり、この部位の一部を破損用部材３５５の一部にて形成することで、破損用部材３５５において機能が必要とされるベース軸受部３８３及び破損操作部３８５等を取付板部３７１〜３７３の上下に近接配置可能とし、破損用部材３５５の機能部分を小型にしなくても、基板ボックス３１１全体としては小型に形成することができる。
【０１２７】
破損板金３８２は、図１７（ｅ）に示すように、ベース板部３８４に対して、破損用部材３５５の進行方向に相当する右側に僅かに突出する大きさに設定されている。破損用部材３５５が回動動作した場合には、封印シール３１３の側面部４０３に対してベース板部３８４より先に破損板金３８２が当接する。このため、封印シール３１３に当接した際の剛性を金属製にして高めつつ、厚みは薄く先端側は鋭角に形成可能にして封印シール３１３の分断に要する力を少なくすることが可能とされている。
【０１２８】
破損板金３８２は、ベース板部３８４と共に基板ボックス３１１に貼付された封印シール３１３の一部を横切って封印シール３１３を分断するように移動する。詳細には、前側取付板部３７１，３７２と後側取付板部３７３との前後の隙間内にて取付板部３７１〜３７３に対して前後に重なる初期位置（図１９（ａ）に示す位置）から、取付板部３７１〜３７３に対して右側にベース板部３８４及び破損板金３８２の少なくとも一部が突出した突出位置（例えば、図１９（ｂ）に示す位置）に移動する。ベース板部３８４及び破損板金３８２は、前後に厚みを有する板状に形成され、その板面に沿った方向側に封印シール３１３が当接することで変形及び破損がし難い設定とされている。
【０１２９】
なお、破損板金３８２を薄く設定したり、その進行方向先端側部分を厚み方向において傾斜させて鋭角に設定したりし過ぎると作業者が怪我をする可能性が高まるため、破損板金３８２は、略０．１ｍｍ以上の厚さとすることが好ましく、略０．１５ｍｍ程度の厚さとすることが好適である。また、先端部分の傾斜角度は、厚み方向において傾斜していない角度を９０度とした場合に略４５度から略７０度程度の角度に設定することが好ましい。また、破損板金３８２は、必ずしも設ける必要はなく、破損ベース３８１のベース板部によって封印シール３１３に当接する板状部分を形成し、ベース板部が封印シール３１３に当接することで封印シール３１３を破損させるものとしても良い。
【０１３０】
破損操作部３８５は、ベース軸受部３８３を回動中心として破損用部材３５５を動作させる場合に操作される部位である。この破損操作部３８５は、図１７（ｂ）に示すように、下側の板壁部３９３に対してベース板部３８４とは反対側であってベース軸受部３８３から離間する方向側に延出して形成されている。また、破損操作部３８５は、ベース板部３８４の連続する上下方向に対して、その方向に交差する方向側であって初期位置から突出位置側への移動方向先端側に相当する右側に突出して設けられ、その先端側部分において前後に貫通する略円形の貫通穴を有する形状とされている。
【０１３１】
基板ボックス３１１の開放操作においては、破損操作部３８５を摘んで操作するか、或いは破損操作部３８５の貫通穴に工具を挿通させて破損用部材３５５に回動力を付与し、図１９等に示すように、破損用部材３５５を回動させて封印シール３１３を破損させることができる。この場合に、封印シール３１３の貼付される取付板部３７１〜３７３の上側に破損用部材３５５の回動中心を形成するベース軸受部３８３が設けられ、回動中心から封印シール３１３を間に介在させて離間した封印シール３１３の下側に破損操作部３８５が設けられる。このため、少ない操作力で破損用部材３５５の回動操作を行うことができ、封印シール３１３を破損させることができる。また、基板ボックス３１１の外周に沿ってベース軸受部３８３と封印シール３１３及び取付板部３７１〜３７３の組合せと破損操作部３８５とが上下方向に並んで配置されるので、基板ボックス３１１の外側に突出する部位を少なくして主制御装置１６０を小型に形成することができる。
【０１３２】
破損ベース３８１における破損操作部３８５側の端部には、図１７（ｂ）に示すように、上下に離間して略平行に２つの係止爪部３９５，３９６が破損操作部３８５の左側部分より左側に突出して一体形成されている。上側の係止爪部３９５の突出先端側には、上方に突出して一体形成された上側係止部３９５ａが設けられ、下側の係止爪部３９６の突出先端側には、下方に突出して一体形成された下側係止部３９６ａが設けられている。２つの係止爪部３９５，３９６における各係止部３９５ａ，３９６ａは、相手部材と当接して係止状態を形成する部位であり、突出方向側とは逆側に変位することで相手部材との係止状態が解除される。
【０１３３】
上側の係止爪部３９５に対応させて、図１９（ａ）に示すように、ボックスベース３５１には、前側下部取付板部３７２より下方に突出した受け部３９７が一体形成されている。受け部３９７は、破損用部材３５５が初期位置から突出位置に移動した場合における上側係止部３９５ａの経路上に介在するように突出量が設定されている。破損用部材３５５が初期位置に配置された状態においては、上側係止部３９５ａが受け部３９７の左側に位置し、上側係止部３９５ａの右側への移動が受け部３９７により制限される。このため、破損操作部３８５を右側へ移動させて突出位置側へ破損用部材３５５を変位させる回動操作が上側係止部３９５ａと受け部３９７との係合により制限され、破損用部材３５５が初期位置に保持される。
【０１３４】
上側係止部３９５ａは、図１７（ｂ）に示すように、左右方向における中央部分が頂部とされ、頂部より左右方向に下降傾斜した傾斜面を有する形状とされている。このため、破損操作部３８５を右側へ移動させて突出位置側へ破損用部材３５５を変位させる回動操作をした場合、上側係止部３９５ａにおける右側の傾斜面と受け部３９７が当接し、上側の係止爪部３９５の先端部分に対しては傾斜面の向く方向とは逆向きとなる斜め下側に押圧力が作用する。この押圧力により上側の係止爪部３９５には曲げ力が加えられ、上側係止部３９５ａが下側へ変位する方向側へ上側の係止爪部３９５が弾性変形する。傾斜面への押圧力が大きくなるほど、上側の係止爪部３９５が大きく弾性変形し、それに伴って上側係止部３９５ａが下側へ変位する。一定以上の操作力が破損操作部３８５に付加されると、上側係止部３９５ａが受け部３９７を乗り越えて受け部３９７の右側へと移動し、破損用部材３５５とボックスベース３５１との係止状態が解除されて突出位置側へ破損操作部３８５が変位可能となる。
【０１３５】
破損用部材３５５を突出位置側から初期位置側に向けて押し込む回動操作をした場合には、上側係止部３９５ａの頂部より左方に下降傾斜した傾斜面と受け部３９７が当接し、上側の係止爪部３９５の先端部分に対して傾斜面の向く方向とは逆向きとなる斜め下側に押圧力が作用する。この押圧力によって上側の係止爪部３９５には曲げ力が加えられ、傾斜面への押圧力が大きくなるほど、上側の係止爪部３９５が大きく弾性変形し、それに伴って上側係止部３９５ａが下側へ変位する。一定以上の操作力が破損操作部３８５に付加されると、上側係止部３９５ａが受け部３９７を乗り越えて受け部３９７の左側へと移動し、破損用部材３５５が上側係止部３９５ａと受け部３９７との係合により係止された状態となって破損用部材３５５が初期位置に保持される。
【０１３６】
この初期位置における破損用部材３５５の保持により、板部固定ネジ３１８を挿通させるための取付板部３７１〜３７３の貫通穴３７６，３７７と、破損用部材３５５の貫通穴３９１とを一致させ易く、組み付け作業を容易にすることができる。なお、破損用部材３５５を初期位置に保持する構造は、上記のように、係止爪部を設ける構造に限らず、他の構造により構成しても良い。
【０１３７】
下側の係止爪部３９６は、取付板部３７１〜３７３の前後及び右側部分を覆うシールカバー部材３１９の内面に係合し、基板ボックス３１１に対してシールカバー部材３１９が固定された取付位置に保持する機能を有する。シールカバー部材３１９は、破損用部材３５５が初期位置に配置された状態において取り付けられる部材であり、基板ボックス３１１の右側部分に対して、左方向を取付方向として押し込み操作をすることでシールカバー部材３１９が基板ボックス３１１に取り付けられる。また、下側の係止爪部３９６は、破損用部材３５５が初期位置に配置された状態において基板ボックス３１１におけるボックスベース３５１の右向きの壁面に突出先端部分が対面し、初期位置に対して基板ボックス３１１の中央側への更なる破損用部材３５５の回動を制限する機能を有する。
【０１３８】
下側の係止爪部３９６に対応させて、図１６に示すように、シールカバー部材３１９には、下側の壁面に対して内面側に突出したカバー側係止部４１１が設けられている。カバー側係止部４１１は、シールカバー部材３１９が基板ボックス３１１の右側から取り付けられる場合に下側係止部３９６ａの経路上に介在するように突出量が設定されている。シールカバー部材３１９が取付位置に配置された状態においては、下側係止部３９６ａがカバー側係止部４１１の左側に位置し、カバー側係止部４１１の右側への移動が下側係止部３９６ａにより制限される。このため、シールカバー部材３１９を右側へ移動させてシールカバー部材３１９を基板ボックスから取り外す操作がカバー側係止部４１１と下側係止部３９６ａとの係合により制限され、基板ボックス３１１に対してシールカバー部材３１９が取付位置に固定される。
【０１３９】
下側係止部３９６ａは、図１７（ｂ）に示すように、下方に台形形状に突出し、その右側部分は右下側を向いた傾斜面とされ、左側部分は左側を向いた端面を有する形状とされている。シールカバー部材３１９が基板ボックス３１１に取り付けられる場合には、下側係止部３９６ａにおける右側の傾斜面に対してカバー側係止部４１１が右側より当接し、下側の係止爪部３９６の先端部分に対して傾斜面の向く方向とは逆向きとなる斜め上側に押圧力が作用する。この押圧力により下側の係止爪部３９６には曲げ力が加えられ、下側係止部３９６ａが上側へ変位する方向側へ下側の係止爪部３９６が弾性変形する。傾斜面への押圧力が大きくなるほど、下側の係止爪部３９６が大きく弾性変形し、それに伴って下側係止部３９６ａが上側へ変位する。一定以上の操作力がシールカバー部材３１９に付加されると、カバー側係止部４１１が下側係止部３９６ａの傾斜面を押し上げて下側係止部３９６ａの左側へ移動し、シールカバー部材３１９が下側係止部３９６ａとカバー側係止部との係合により係止された状態となってシールカバー部材３１９が取付位置に固定される（図２０（ａ）参照）。
【０１４０】
一方、取付位置からシールカバー部材３１９を取り外す方向側へ操作が行われた場合には、図２０（ａ）に示すように、下側係止部３９６ａの端面にカバー側係止部４１１が当接して下側係止部３９６ａの端面に垂直な方向に押圧力が作用する。すなわち下側の係止爪部３９６に対して左右方向側に沿った圧縮力を発生させる方向側へ押圧力が作用することとなり、下側係止部３９６ａを上側へ変位させる方向側に一致した下側の係止爪部３９６を弾性変形させる方向側への押圧力としては作用しない。このため、シールカバー部材３１９は、下側の係止爪部３９６により係止された状態においては取付位置から取り外し不能又は困難な設定とされている。
【０１４１】
シールカバー部材３１９を取り外すためには、その前に下側の係止爪部３９６を有する破損用部材３５５を初期位置から突出位置に移動させ、下側の係止爪部３９６によるシールカバー部材３１９の係止状態を解除しておく必要がある。破損用部材３５５を突出位置側に移動させると封印シール３１３が破損することとなるので、基板ボックス３１１からシールカバー部材３１９を取り外す際には、予め封印シール３１３を破損させることとなる。よって、シールカバー部材３１９が取り外された場合には封印シール３１３を破損させて痕跡を残すことができる。従って、検査等のための正規の基板ボックス３１１の開放操作において封印シール３１３を確実に破損させることができ、また、シールカバー部材３１９を取り外して不正行為を試みても封印シール３１３に痕跡が残ることとなるので不正行為を困難なものとすることができる。
【０１４２】
シールカバー部材３１９を取付位置に保持する係合部は、破損用部材３５５の上下に設けられ、下側における下側の係止爪部３９６だけでなく、上側においてベース軸受部３８３の外形が係合部とされている。破損用部材３５５のベース軸受部３８３の外形形状は、図２０（ａ）に示すように、円筒形状に対して左上側に突出した係止角部３９８を有する形状とされている。係止角部３９８は、シールカバー部材３１９に係合してシールカバー部材３１９を取付位置に保持する機能を有すると共に、破損用部材３５５が突出位置側に回動した場合に基板ボックス３１１におけるボックスベース３５１の一部に当接し、破損用部材３５５の回動量を略９０度に制限する機能を有する。
【０１４３】
この破損用部材３５５の係止角部３９８に対応させて、シールカバー部材３１９には、カバー係合フック部４１０が設けられている。カバー係合フック部４１０は、シールカバー部材３１９の右上側部分において前後の壁面を接続する壁部分よりシールカバー部材３１９の取付方向に一致する左方に突出して一体形成されている（図１６参照）。
【０１４４】
カバー係合フック部４１０の突出先端側には、図１６に示すように、下方に突出して一体形成されたフック係止部４１０ａが設けられている。フック係止部４１０ａは、図２０（ａ）に示すように、シールカバー部材３１９が取付位置に配置された状態において、ベース軸受部３８３の係止角部３９８の左側に位置する突出量に設定されている。また、シールカバー部材３１９が取付位置に配置された状態において、破損用部材３５５が突出位置側へ回動した場合に、フック係止部４１０ａの下端より係止角部３９８の突端が下側に位置するように、フック係止部４１０ａの突出量が設定されている。このフック係止部４１０ａの外形形状は、その左側部分が左下側を向いた傾斜面とされ、右側部分が右側を向いた壁面を有する形状とされている。
【０１４５】
シールカバー部材３１９が取付位置に配置された状態においては、フック係止部４１０ａの右側を向いた壁面が係止角部３９８に対面し、係止角部３９８の左側を向く面でカバー係合フック部４１０の移動が制限されている。シールカバー部材３１９を取り外し方向側へ移動させようとした場合には、係止角部３９８に当接したフック係止部４１０ａの壁面の向く方向とは逆の左向きに押圧力が作用する。初期位置に配置された破損用部材３５５は、係止角部３９８を右側へ移動させる方向側には回動不能であるため、カバー係合フック部４１０が突出先端側へ引っ張られる方向側へ押圧力が作用する。この場合、フック係止部４１０ａを上側へ変位させる方向側へカバー係合フック部４１０を弾性変形させる押圧力は作用しない。このため、シールカバー部材３１９を一旦取り付けた後には、破損用部材３５５が初期位置に配置されている限り、シールカバー部材３１９の取り外し方向側への移動が制限され、シールカバー部材３１９の取り外しが不能又は困難な設定とされている。
【０１４６】
破損用部材３５５を初期位置から突出位置側に移動させた場合には、係止角部３９８がフック係止部４１０ａの右側に対面した位置より下方に移動する。係止角部３９８の先端部分がフック係止部４１０ａより下側に位置すると、係止角部３９８の上側の面が斜め上方を向いた状態となり、シールカバー部材３１９を取り外し方向側へ移動させると、フック係止部４１０ａが係止角部３９８の上側の面に当接し、フック係止部４１０ａに対して斜め上方への押圧力が作用する。この押圧力により、カバー係合フック部４１０には曲げ力が加えられ、フック係止部４１０ａが上側へ変位する方向側へカバー係合フック部４１０が弾性変形する。一定以上の操作力がシールカバー部材３１９に付加されると、フック係止部４１０ａがベース軸受部３８３の上側を乗り越えて右側へと移動し、シールカバー部材３１９が基板ボックス３１１から右側へ取り外される。
【０１４７】
シールカバー部材３１９を取り外すためには、その前に係止角部３９８を有する破損用部材３５５を初期位置から突出位置に移動させ、係止角部３９８によるカバー係合フック部４１０の係止状態を解除しておく必要がある。この解除は、破損用部材３５５を移動させることで実施可能である一方、封印シール３１３が破損するため、シールカバー部材３１９が取り外された場合には封印シール３１３に痕跡を残すことができる。従って、基板ボックス３１１の開放操作において封印シール３１３を確実に破損させることができ、また、シールカバー部材３１９を取り外して行われる不正行為を困難なものとすることができる。
【０１４８】
シールカバー部材３１９を取り付ける場合には、予め破損用部材３５５を初期位置に配置する。その後に、シールカバー部材３１９を左側へ押し込む操作を行うと、フック係止部４１０ａの左側部分における傾斜面とベース軸受部３８３における円柱状の外面とが当接する。この場合においても、フック係止部４１０ａを通じてフック係止部４１０ａが上側へ変位する方向側へカバー係合フック部４１０が弾性変形する。一定以上の操作力がシールカバー部材３１９に付加されると、フック係止部４１０ａがベース軸受部３８３の上側を乗り越えて係止角部３９８の左側へと移動し、シールカバー部材３１９がベース軸受部３８３とカバー係合フック部４１０との係合により係止された状態となってシールカバー部材３１９が取付位置に固定される。
【０１４９】
なお、シールカバー部材３１９を取付位置に保持する構造は、上記に限らず、他の構造により構成しても良い。この場合に、シールカバー部材３１９は、破損用部材３５５が初期位置から移動して封印シール３１３を破損させることを必要条件として取り外し可能とすることが、不正防止の観点から好ましい。
【０１５０】
次に破損突部３８６について説明する。破損突部３８６は、図１７（ｂ）に示すように、破損用部材３５５における破損板金３８２の上下方向略中央部分に対して左側に突出した先端部に設けられている。ベース板部３８４の上下方向における略中央部分は、左側に突出した形状とされ、図１７（ａ）に示すように、その突出した左側端部より前側に突出して破損突部３８６が設けられている。この破損突部３８６は、破損用部材３５５を初期位置から突出位置に移動させた場合に封印シール３１３の前面部４０１を破損させる部位として設けられている。
【０１５１】
破損突部３８６は、ベース板部３８４の板面より前側に突出した突条部３８８がベース板部３８４より左側に延長して形成され、その突条部３８８の先端側端部において前方側に突出形成されている。また、ベース板部３８４の板面は、突条部３８８を先端とするようにして略三角形状で左側に突出して一体形成されている。破損突部３８６は、封印シール３１３を破損させる部位であるため、その破損に要する力の反力が破損突部３８６の一部に付加される。このため、ベース板部３８４の突出部分と突条部３８８により破損突部３８６とベース板部３８４との間部分が補強され、破損突部３８６から離間した基端側に行くほど大きく曲げ力が作用しても破損が生じにくい設定とされている。
【０１５２】
ここで、図１７、図１９及び図２０に加えて図２１を主に参照して、破損突部３８６の構成詳細について更に説明する。図２１（ａ）は、主制御装置１６０を右側から見た側面図であり、図２１（ｂ）は、図２１（ａ）に対してシールカバー部材３１９を省略した状態を示し、図２１（ｃ）は、図２１（ｂ）に対して封印シール３１３を省略した状態を示している。
【０１５３】
破損突部３８６が設けられる位置は、封印シール３１３の前面部４０１の横幅分、すなわち前側取付板部３７１，３７２の横幅分と略一致する長さ分、破損板金３８２の右側端縁に対して左側に偏った位置に設定されている。このため、図２０（ｂ）に示すように、破損突部３８６が封印シール３１３の前面部４０１における左端の外縁に対して左側に近接した状態において、破損板金３８２の右側端縁に封印シール３１３の側面部４０３の内面側すなわち裏面側に近接して配置される。よって、破損用部材３５５が動作を開始することで、破損板金３８２が封印シール３１３の側面部４０３に裏面側より当接し、この当接時期とほぼ同時期に、破損突部３８６が封印シール３１３の前面部４０１に左端の縁側より当接する。これにより、少ない操作量でも封印シール３１３の複数箇所を破損させることができる。
【０１５４】
一方、破損突部３８６と破損板金３８２との封印シール３１３に対する当接が同時となると、破損用部材３５５の操作に必要な力が過大となる可能性がある。この場合には、破損突部３８６と破損板金３８２との封印シール３１３に対する当接時期をずらすようにすることで操作力を低減することができる。破損板金３８２の右側端縁に対して破損突部３８６を左側に更に離間させ、破損突部３８６が封印シール３１３に当接する時期を破損板金３８２より遅くなるようにしても良い。また、破損板金３８２の右側端縁に対して破損突部３８６を右側に近づくように配置し、破損突部３８６が破損板金３８２より早く封印シール３１３に当接する設定としても良い。
【０１５５】
また、破損突部３８６は、図２１（ｂ）及び図２１（ｃ）に示すように、封印シール３１３の前面部４０１が貼付される前側取付板部３７１，３７２の前面に対して略垂直な前側（図２１（ｃ）の左側）に突出するようにして基板ボックス３１１に取り付けられる。破損突部３８６の長さは、前側取付板部３７１，３７２の前面に対して裏面側に根元部分が位置し、表面側まで突出する設定とされている。また、突条部３８８は、その上下に設けられる前側取付板部３７１，３７２の隙間内に位置し、破損突部３８６を補強しつつ、且つ、前側取付板部３７１，３７２の前面に対しては裏面側に位置して封印シール３１３の前面部４０１における裏面に接触しない設定とされている。
【０１５６】
破損用部材３５５の初期位置において、破損突部３８６は、図１９（ａ）に示すように、封印シール３１３の前面部４０１が貼付される前側上部取付板部３７１及び前側下部取付板部３７２の前面に対して基板ボックス３１１の中央側に位置している。ベース軸受部３８３を中心として破損用部材３５５が初期位置から突出位置へと回動する場合には、破損突部３８６は、図１９（ａ）に示す初期位置から、図１９（ｂ）に示すように、ベース軸受部３８３を中心として回動する。前側上部取付板部３７１の下側の端縁３７１ａと前側下部取付板部３７２の上側の端縁３７２ａとの間には、破損突部３８６の経路（図１９（ｂ）に示す二本の一点鎖線の間部分）上に前側取付板部３７１，３７２が位置しないように、破損突部３８６の経路より上下方向に幅広い隙間が形成されている。この隙間を通じて、破損突部３８６は、前側上部取付板部３７１と前側下部取付板部３７２との間から封印シール３１３の前面部４０１に当接可能とされ、破損用部材３５５が初期位置から突出位置へと回動した場合に、封印シール３１３の前面部４０１に沿って円弧状に進行して封印シール３１３を破損させる。
【０１５７】
破損突部３８６は、図１７（ｂ）に示すように、前後方向において略一定の断面形状に形成され、その初期位置から突出位置側への進行方向先端側に相当する右側端部は、先細りして鋭角に尖った形状とされている。このため、破損突部３８６が封印シール３１３に当接した場合に封印シール３１３が分断され易く、破損用部材３５５の操作に要する操作力を軽減することができる。なお、破損突部３８６の進行方向先端側の端面が、進行方向を向いた面として一定以上の幅（例えば、１．５ｍｍ以上の幅）を有して形成されても良く、この場合には、封印シール３１３が分断されるだけでなく、破損突部３８６が進行した領域が削り取られるように封印シール３１３が破損することとなり、封印シール３１３が破損したことを封印シール３１３の前面部４０１を視認して確認し易いものとすることができる。
【０１５８】
次に、シールカバー部材３１９について説明する。シールカバー部材３１９は、図１８（ａ）等に示すように、略矩形の箱状に形成された透明な合成樹脂製の部材である。シールカバー部材３１９は、取付板部３７１〜３７３に貼付された封印シール３１３の表面の大部分を覆う部材であり、基板ボックス３１１の中央側に相当する左側が開口した略箱状に形成されている。シールカバー部材３１９の箱状部分を形成する前後の壁部３１９ａ，３１９ｂは、取付板部３７１〜３７３を間に挟み込み可能な隙間を隔てて設けられている。シールカバー部材３１９の前後の壁部３１９ａ，３１９ｂの左右方向における長さは、基板ボックス３１１において主制御基板３１２を収容する箱状部分より取付板部３７１〜３７３が突出した量と略一致し、封印シール３１３の外周全体が収容可能な大きさに設定されている。シールカバー部材３１９の前後の壁部３１９ａ，３１９ｂの左右方向における長さは、破損用部材３５５より長く設定され、破損用部材３５５の全体が前後の壁部３１９ａ，３１９ｂにより覆われる。シールカバー部材３１９の基板ボックス３１１中央側の端縁は、ボックスベース３５１及びボックスカバー３５２においてシールカバー部材３１９側を向いた壁面に近接しつつ対面し、ほぼ隙間が無い状態とされている。以下、前後の壁部３１９ａ，３１９ｂのうち、前側を前壁部３１９ａと称し、後側を後壁部３１９ｂと称す。
【０１５９】
シールカバー部材３１９における後壁部３１９ｂは、基板ボックス３１１に取り付けられた状態においてボックスカバー３５２の後側に重なるように配置される（図２０（ｂ）参照）。後側の壁部３１９ｂの左右方向における突出長さは、ボックスベース３５１に対してボックスカバー３５２を後側に移動可能な位置までスライド移動させてもボックスカバー３５２の後側に介在する設定とされ、ボックスベース３５１からシールカバー部材３１９を取り外し方向に相当する右側へ移動することを必要条件として、ボックスカバー３５２はボックスベース３５１から分離可能とされ、基板ボックス３１１を開放することができる。
【０１６０】
シールカバー部材３１９における右側部分には、図１８（ａ）に示すように、前壁部３１９ａと後壁部３１９ｂとの右側端部を前後に接続する壁面を形成する側壁部３１９ｃが設けられている。前壁部３１９ａ、後壁部３１９ｂ及び側壁部３１９ｃは、それぞれ封印シール３１３の前面部４０１、背面部４０２及び側面部４０３に対面し、前壁部３１９ａ及び後壁部３１９ｂは、略０．５ｍｍ以下の隙間で密着した状態で封印シール３１３に対面する設定とされている。前壁部３１９ａ及び後壁部３１９ｂは、封印シール３１３において破損用部材３５５により破損させられることとなる前面部４０１及び側面部４０３に対面し、これら部位において封印シール３１３が取付板部３７１〜３７３とシールカバー部材３１９とにより挟まれた状態とされることにより封印シール３１３の移動が制限される。このため、破損用部材３５５による押圧力が封印シール３１３に作用しても、封印シール３１３が取付板部３７１〜３７３から剥がれ難く、封印シール３１３が破断を伴って破損し易くすることができる。
【０１６１】
シールカバー部材３１９の側壁部３１９ｃには、図１８（ａ）に示すように、シールカバー部材３１９の内外を貫通する縦長の貫通穴４１２が設けられている。縦長の貫通穴４１２は、図２１（ａ）等に示すように、基板ボックス３１１の側面視において破損用部材３５５より僅かに大きく形成され、また、破損用部材３５５が初期位置から突出位置へ回動した場合に破損用部材３５５を通過可能な大きさにて貫通形成されている。このため、破損用部材３５５を初期位置から突出位置へ回動操作してもシールカバー部材３１９の貫通穴４１２周りに干渉することなく、破損用部材３５５による封印シール３１３の切断操作を行うことができる。
【０１６２】
シールカバー部材３１９の貫通穴４１２は、基板ボックス３１１の側面視において破損用部材３５５より僅かに大きく形成され、破損用部材３５５を挿通可能な大きさに設定されている。破損用部材３５５におけるベース軸受部３８３の一部は、基板ボックス３１１に取り付けられた状態において縦長の貫通穴４１２内に入り込んで配置されている。
【０１６３】
縦長の貫通穴４１２における上下の両端部側には、図１８（ｄ）に示すように、上下をつなぐ途中部分より幅広い略矩形状の矩形開口部４１３，４１４が開口形成されている。上側の矩形開口部４１３は、破損用部材３５５のベース軸受部３８３が挿通可能な大きさに設定されている。基板ボックス３１１に対してシールカバー部材３１９を取り外す前に破損用部材３５５を突出位置まで操作すると、シールカバー部材３１９が基板ボックス３１１から取り外し可能な状態となる。その後に、シールカバー部材３１９を基板ボックス３１１から取り外すと、破損用部材３５５のベース軸受部３８３がシールカバー部材３１９の内側に位置し、ベース軸受部３８３から離れた破損操作部３８５等の一部分がシールカバー部材３１９の外側に突出する。この場合に、上側の矩形開口部４１３を通じて、ベース軸受部３８３をシールカバー部材３１９の外側に引き出すことができる。この引き出し操作によりシールカバー部材３１９と破損用部材３５５とを分離可能とし、両部材のいずれか又は双方の再利用が可能とされている。
【０１６４】
縦長の貫通穴４１２の下端部側における矩形開口部４１４は、破損用部材３５５の破損操作部３８５を含めた破損操作部３８５の回動先端側部分が挿通可能な大きさに設定されている。基板ボックス３１１にシールカバー部材３１９が取り付けられた状態においては、シールカバー部材３１９の外側に破損操作部３８５における前後方向の貫通穴が突出した状態とされている（図１２参照）。このため、破損操作部３８５に対して動作に必要な操作力を付加し易い設定とすることができる。
【０１６５】
上下の矩形開口部４１３，４１４をつなぐ途中部分は、上下方向の中央部分を除いて上下に連続する一定幅に貫通して形成されている。この部位を通じて破損用部材３５５のベース板部３８４及び破損板金３８２がシールカバー部材３１９の内側に位置する初期位置から、その外側に位置する突出位置まで変位可能とされている。
【０１６６】
シールカバー部材３１９の前壁部３１９ａには、図１８（ａ）に示すように、上下方向における略中央部分において前方側に突出した横長のカバー前壁突条部４１６が設けられている。カバー前壁突条部４１６は、同一の断面略矩形状で左右方向に連続した形状とされ、その内面側には、カバー前壁突条部４１６の外面に対して略一定の厚み分オフセットされた内面により左右方向に連続した断面矩形状の前壁長溝部４１７が形成されている。
【０１６７】
前壁長溝部４１７は、図１８（ｄ）に示すように、縦長の貫通穴４１２の一部を構成し、縦長の貫通穴４１２の上下方向における略中央部分において前壁長溝部４１７により一定幅で前方側に突出した断面部分を形成している。前壁長溝部４１７は、破損用部材３５５が初期位置から突出位置に移動する際に破損突部３８６が通過する部位であり、破損突部３８６の経路に干渉しない程度に十分な上下幅及び前後深さに設定されている。
【０１６８】
ここで、前壁長溝部４１７の上下幅は、破損突部３８６が通過する前側取付板部３７１，３７２の隙間より上下に広い範囲に開口して形成されることが好ましく、前後深さは、前壁長溝部４１７の底部分に相当する前側の壁面と封印シール３１３との隙間が前側取付板部３７１，３７２の隙間幅より大きく形成されることが好ましい。封印シール３１３が前側取付板部３７１，３７２における一方側の端縁付近で破断し、他方側の端縁を基準として前方側に封印シール３１３が突出しても、その封印シール３１３の切片が前壁長溝部４１７の前側に自由に突出することができるので、破損突部３８６の進行を阻害する影響を抑制することができ、破損操作部３８５の操作力が過大にならないために好ましい。
【０１６９】
前壁長溝部４１７は、図２１（ａ）に示すように、破損突部３８６が通過する経路に沿って形成された先端側においてシールカバー部材３１９の外方に貫通形成されている。このため、基板ボックス３１１を右側面側から視認した場合に、破損突部３８６と、破損突部３８６が封印シール３１３を破損させる部位の全体を直視することができる。よって、封印シール３１３の状態を確認する場合、シールカバー部材３１９を介すことがないので、封印シール３１３の僅かな破損も認識し易いものとすることができる。
【０１７０】
前壁長溝部４１７の連続する方向は、基板ボックス３１１の左右方向に一致し、この方向は、基板ボックス３１１が主制御装置ユニット３００として回動可能に支持される回動軸３３１（図１０参照）の軸方向（上下方向）に対して垂直な方向側に相当し、その回動軸３３１から遠い側の端部において前壁長溝部４１７が開放した状態とされる。このため、作業者は、回動軸３３１を中心として主制御装置ユニット３００を回動操作することで、前壁長溝部４１７の開放側部分を手前側に引き出すことで、基板ボックス３１１をパチンコ機１０から取り外すことなく、破損突部３８６が封印シール３１３を破損させる部位の状態を容易に確認することができる。
【０１７１】
ただし、基板ボックス３１１の右側部分に対しては、図１０及び図１１に示すように、外側カバー部材３０２が取り付けられ、この外側カバー部材３０２によってシールカバー部材３１９の右側端部は覆われる。前壁長溝部４１７が外側に貫通する部位を形成する縦長の貫通穴４１２は、外側カバー部材３０２によって閉鎖された状態とされ、基板ボックス３１１の外側から縦長の貫通穴４１２の不正行為が困難な設定とされている。外側カバー部材３０２には、シールカバー部材３１９の右側部分を覆う透明な壁面３０２ａが設けられ、この壁面３０２ａを通じて前壁長溝部４１７の状態が確認可能とされている。この壁面３０２ａは、前壁長溝部４１７を形成する前壁突条部４１６の連続する左右方向において厚みを有する平板状に形成され、前壁長溝部４１７の内部を外側カバー部材３０２が取り付けられた状態においても視認し易く設定されている。また、外側カバー部材３０２によりシールカバー部材３１９の右側端部が覆われることで、破損用部材３５５を突出位置側への操作が制限され、不用意に破損用部材３５５が操作されて封印シール３１３が破損することが防止されている。
【０１７２】
前壁長溝部４１７に対して破損突部３８６は、基板ボックス３１１の正面視において前壁長溝部４１７を形成する前壁突条部４１６の左側端部に位置している（図１２参照）。このため、前壁長溝部４１７の最奥側に破損突部３８６が配置され、その手前側には封印シール３１３の前面部４０１において裏面側が支持されていない部位が位置することとなる。よって、前壁長溝部４１７を通じて破損突部３８６を切除する等の不正行為をしようとした場合に、封印シール３１３が傷付きやすく、不正行為を困難なものとすることができる。
【０１７３】
シールカバー部材３１９におけるカバー前壁突条部４１６の上側及び下側には、基板ボックス３１１の中央側に位置する外縁より基板ボックス３１１の外側に向けて凹んで形成された溝状の締結解除溝部４１８が設けられている。締結解除溝部４１８は、前側取付板部３７１，３７２の貫通穴３７６に対して前側に重なる部位を開放する位置まで連続して形成され、シールカバー部材３１９が取り付けられた状態でも板部固定ネジ３１８の外側を覆うことがない形状とされ、板部固定ネジ３１８を取り外し可能としている。
【０１７４】
この締結解除溝部４１８は、シールカバー部材３１９の取付及び取り外し方向に対応する左右方向に沿って前壁部３１９ａの外縁まで連続して形成されている。詳しくは、前側取付板部３７１，３７２の貫通穴３７６に重なる位置を含めてシールカバー部材３１９の取付方向に相当する左方向に連続した形状とされ、シールカバー部材３１９の取り外し操作がなされた場合に、前側取付板部３７１，３７２の貫通穴３７６にシールカバー部材３１９が重ならない設定とされている。この締結解除溝部４１８の上下幅は、板部固定ネジ３１８の頭部より大きな外形に設定することはもちろん、前側取付板部３７１，３７２の貫通穴３７６における前側縁部分の外形より大きい設定とすることが好ましい。これにより、板部固定ネジ３１８の取り外しを確実に実行可能とし、且つ、板部固定ネジ３１８の取り外しに際して前側取付板部３７１，３７２の貫通穴３７６周りで封印シール３１３が破られて前方側に破損部分が突出した状態とされても、その部位がシールカバー部材３１９に当接しないので、封印シール３１３とシールカバー部材３１９との前後方向における隙間を少なく設定して不正行為を抑制しつつもシールカバー部材３１９の取り外し操作に対する影響を抑制することができる。
【０１７５】
次に、基板ボックス３１１を開放する手順について、図２２を主に参照して説明する。図２２は、破損用部材３５５の動作を示した基板ボックス３１１の右側部分の斜視図であり、図２２（ａ）は、破損用部材３５５が初期位置に配置された状態を示し、図２２（ｂ）は、破損用部材３５５が突出位置に配置された状態を示し、図２２（ｃ）は、図２２（ｂ）に対してシールカバー部材３１９を省略して示している。
【０１７６】
基板ボックス３１１の開放に際しては、予め、パチンコ機１０から基板ボックス３１１を取り外す。この取り外し操作は、主制御装置１６０を遊技盤２３の裏面側に露出させた後に、ボックス連結部材３０１と基板ボックス３１１とを接続する切断部３３５（図１０参照）をニッパ等の工具で切断し、基板ボックス３１１とボックス連結部材３０１の連結を解除し、更に、外側カバー部材３０２のカバー固定用部材３４２を遊技板２３ｂの裏面側より取り外す。すると、遊技盤２３に対して、外側カバー部材３０２が取り付けられた状態で基板ボックス３１１が取り外し可能となる。その後に、基板ボックス３１１に対して外側カバー部材３０２を取り外すと、基板ボックス３１１の右側部分において外側カバー部材３０２に覆われていた部位が露出される。基板ボックス３１１が取り外された後には、基板ボックス３１１の外周部分にて開放封印部３６６〜３６９においてなされた封印状態に対して予め開放操作用に設定された切断部を切断する。そうすると、基板ボックス３１１は、封印シール３１３及び板部固定ネジ３１８により開放方向側への移動が制限された状態となる（図２２（ａ）の状態）。
【０１７７】
封印シール３１３と板部固定ネジ３１８とによる移動制限の解除は、まず、シールカバー部材３１９の締結解除溝部４１８を通じて、封印シール３１３により覆われた板部固定ネジ３１８の頭部を露出させる。すなわち、封印シール３１３の表面をドライバ等の工具の先端を押し付ける等して破損させる。その破損操作後には、板部固定ネジ３１８の頭部に工具を当接させ、板部固定ネジ３１８を取り外し方向に回転させて板部固定ネジ３１８を基板ボックス３１１から取り外す（図２２（ｂ）参照）。
【０１７８】
板部固定ネジ３１８の取り外し後には、破損操作部３８５を摘んで操作するか、或いは破損操作部３８５の貫通穴に工具を挿通させて破損用部材３５５に回動力を付与し、破損操作部３８５を基板ボックス３１１の外側に引き出す（図２２（ｂ）参照）。この破損操作部３８５に対する回動操作により、破損用部材３５５は、破損板金３８２とベース板部３８４とが共に基板ボックス３１１に貼付された封印シール３１３の側面部４０３を横切って移動し、封印シール３１３の側面部４０３が前後に分断される（図２２（ｃ）参照）。この封印シール３１３の前後の分断により、ボックスベース３５１とボックスカバー３５２との封印シール３１３による連結状態が解除され、ボックスベース３５１に対してボックスカバー３５２がスライド移動可能な状態となる。
【０１７９】
破損操作部３８５に対する操作により、破損突部３８６がシールカバー部材３１９の外側まで進行すると、封印シール３１３の前面部４０１を横切るように左側より右側に破損突部３８６が移動し、封印シール３１３の前面部４０１がベース軸受部３８３を中心とした円弧状に破損させられる。
【０１８０】
破損操作部３８５を操作した後には、シールカバー部材３１９を取り外し、その後に、閉鎖状態となっている基板ボックス３１１のボックスベース３５１とボックスカバー３５２とを互いの厚み方向に離間可能な位置までスライド移動させる。この移動操作は、図１４（ｂ）に示すように、ボックスベース３５１に対してボックスカバー３５２を封印シール３１３が設けられる側とは逆の方向側へスライド移動させて行う。ボックスベース３５１の係止部３６２の突出長さに相当する分以上、ボックスカバー３５２に対して係止部３６２の突出方向に沿った方向側（図１４の矢印方向側）へスライド操作がなされると、ボックスカバー３５２に設けられる各フック部３６１が、対応する受け部３６４に対して基板ボックス３１１の厚み方向において重なっていた位置から外れ、ボックスベース３５１とボックスカバー３５２とを厚み方向に離間可能な状態となる。その後、ボックスベース３５１とボックスカバー３５２とを互いの厚み方向に離間させることで基板ボックス３１１が開放される。
【０１８１】
ここで、図１４に加えて図２３を主に参照して、本実施例における破損突部３８６の進行による封印シール３１３の破損後の態様について説明する。図２３（ａ）は、本実施例における封印シール３１３の破損後の態様を模式的に示した図であり、封印シール３１３を展開して示している。図２３（ｂ）は、封印シール３１３の前側部分における破損後の態様を示す斜視図であり、図２３（ｃ）は、表面側から視認した封印シール３１３の破損突部３８６周りの破損の過程を模式的に示した図であり、図２３（ｄ）は、図２３（ｂ）の断面線における封印シール３１３の破損後の態様を示した断面図である。なお、図２３（ａ）においては破損突部３８６が進行する経路の上下の位置を経路Ｒとして一点鎖線で示し、図２３（ａ）及び図２３（ｃ）においては、封印シール３１３が支持される前側取付板部３７１，３７２の端縁３７１ａ，３７２ａを一点鎖線で示し、図２３（ｄ）においては、前側取付板部３７１，３７２の一部及び破損突部３８６を併せて示している。
【０１８２】
破損後の封印シール３１３は、図２３（ａ）に示すように、封印シール３１３の側面部４０３において上下方向に破断線が延び、封印シール３１３が左右に分断されて破損している。この破損部分は、破損用部材３５５の破損板金３８２の通過により形成され、破損板金３８２に対して前後の取付板部３７１〜３７３までの前後隙間は上下方向で一定で且つ少ない隙間寸法（例えば、０．５ｍｍ以下）に設定され、直線的に近い状態に破断線が進行しつつ破損する。
【０１８３】
封印シール３１３の前面部４０１は、高さ方向の略中間部分において左右方向に破断線が延びて破損する。この破損部分は、破損突部３８６の進行により破損した部分であり、封印シール３１３が貼付される前側取付板部３７１，３７２において形成される隙間Ｓの幅内において破損部分が横断して形成される。破損突部３８６の進行により、複製防止表示部４０４ｃにおいて表示される模様の一部が破損し、また、識別情報表示部４０４ｄに表示される管理番号及び管理番号に対応したコード情報が少なくとも一部の文字、数字、記号等の情報を表面側から確認不能及び読み取り不能な状態に破損する。この破損により、封印シール３１３の再利用が困難な設定とされている。
【０１８４】
破損突部３８６は、封印シール３１３の前面部４０１の平面に沿って進行するため、図２３（ｃ）に示すように、封印シール３１３の進行方向先端側には、封印シール３１３に対する押圧力により襞状に皺が形成され易い。本実施例においては、破損突部３８６の進行方向側の面として、進行方向側を向いた例えば上下幅０．５ｍｍ程度の右向き面が設けられており、鋭利なものとは対照的な切れ味の悪い刃物で押し切るような状態で封印シール３１３が上下に分断させられる。このため、封印シール３１３の進行方向側に皺が形成され易く、封印シール３１３の破断線の周辺にも上下方向に延びる皺が形成され易い設定とされている。
【０１８５】
破損突部３８６の経路Ｒに対して前側取付板部３７１，３７２の端縁３７１ａ，３７２ａまでの距離は、破損開始直後における左側端部において下側が大きく、右側に破損突部３８６が進行するに従って上側部分が次第に大きくなる設定とされている。破損突部３８６の経路Ｒに沿って左端から一定距離移動した後の前面部４０１の破損部分における上側部分は、その部位に対応する下側部分に比べて、封印シール３１３が貼付されて支持された位置から、破損突部３８６が通過する位置までの距離が長く設定されている。このため、封印シール３１３の破損部分において上下に封印シール３１３を分断する破断線が上側へ進行し易いものとなり、上下方向において破断線が大きく起伏することとなる（図２３（ｃ）参照）。
【０１８６】
また、破損突部３８６の経路に対して上側部分は、破損突部３８６の経路に対応する円弧の内側に位置する部位であり、下側に僅かに突出した円弧状の破損突部３８６の経路Ｒにおいて破損させられた封印シール３１３のうち上側部分における下端側の縁部分を上側へ巻き込む方向側に破損突部３８６が進行する。この円弧状の破損突部３８６の移動により進行方向の内側部分は封印シール３１３が進行する右方向に対して交差する上下方向（図２３（ｃ）の矢印参照）に引張力が作用し、破断線が進行方向側における斜め上方に向かうように進行し易く、加えて、その方向側における前側取付板部３７１，３７２との隙間寸法も大きく設定していることで上方側へ破断線が進行可能な量も大きな設定とされている。
【０１８７】
更に、封印シール３１３の裏面側には接着剤が塗布されており、この接着剤によって破損突部３８６に封印シール３１３が付着することがあり、この破損突部３８６に封印シール３１３が付着することにより斜め方向側へ破断線が向かいつつ封印シール３１３が破断され易い。加えて、破損突部３８６の先端側面は、回動中心の径方向に垂直となる進行方向に対して僅かに経路の内側に向けて傾斜して形成され、詳細には、略１５度、経路の内側に傾いて設けられている。これらの設定により、封印シール３１３の破損部分における上側の破断線が上下方向において起伏し易いものとされている。
【０１８８】
破損突部３８６の経路に対して前側取付板部３７１，３７２の縁部分までの距離が短い部分、すなわち封印シール３１３の前面部４０１における左端から離間した下側部分は、封印シール３１３が固定された端縁３７２ａ付近を破損突部３８６が通過する。封印シール３１３が固定された端縁３７２ａと破損突部３８６との間隔が短い分、その範囲内において端縁３７２ａより上側に突出した封印シール３１３の縁部分は、破損突部３８６が次第に端縁３７２ａ側へと近づくことにより下側の端縁３７２ａ側に押し付けられる（図２３（ｄ）参照）。また、この下側の端縁側への押し付けにより、封印シール３１３の裏面側に付着していた接着材によって封印シール３１３が端縁３７２ａ付近に接着し易い設定とされている。本実施例においては、封印シール３１３の厚みより僅かに大きい（例えば、０．３ｍｍから０．７ｍｍ）程度まで破損突部３８６の進行経路が前側下部取付板部３７２の上側の端縁３７２ａまで近づく設定とされ、切断された封印シール３１３が、図２３（ｂ）に示すように、前側下部取付板部３７２の端縁３７２ａ及び隙間Ｓ側を向く隙間側の内面に付着し易く、封印シール３１３を破損前の状態に引き延ばして復元することが困難とされている。
【０１８９】
以上説明したように、基板ボックス３１１を開放する際には特定の操作として破損用部材３５５を初期位置から突出位置に回動させる操作が行われ、この破損用部材３５５の回動操作により封印シール３１３が破損させられる。封印シール３１３は、前側上部取付板部３７１と前側下部取付板部３７２との間の隙間部分を通過し、破損突部３８６の進行する円弧状の経路に沿って切断させられる。この破損突部３８６の進行方向は、前後方向を中心に回動する破損用部材３５５の回動動作によって封印シール３１３において前向きに貼付される前面部４０１に対して、その前面部４０１が延びる平面に沿った方向に設定されている。このため、封印シール３１３の前面部４０１に対して垂直方向側に破損用の部位が移動して封印シールを破損させる場合と比較して、封印シール３１３に進行方向において襞状に皺が形成され易い。よって、封印シール３１３が破損したものであることを確認し易く、また、一旦破損した封印シール３１３を不正の目的で元通りに近い見た目に復元する行為を困難なものとすることができる。
【０１９０】
また、破損突部３８６は、封印シール３１３の前面部４０１内において、直線的でなく、円弧状に移動可能な経路に沿って進行する。このため、封印シール３１３に対しては、円弧の外側と内側とにおいて異なる力が作用し、破損の態様が異なるものとされ、また、経路の内側部分の方が封印シール３１３の破損が大きくなり易い。よって、不正行為として破損用部材３５５を回動動作させる特定の操作をした後に封印シール３１３を元通りに近い見た目に復元する場合には、破損の態様が経路の内外で異なる部位のそれぞれに対して実行しなければならないために、破損の復元作業を困難にすることができ、不正行為の実行をより確実に検出可能とすることができ、また、不正行為の抑制もすることができる。
【０１９１】
前側上部取付板部３７１の下側の端縁３７１ａは左右方向に直線的に形成されているのに対して、破損突部３８６は斜め下側に次第に移動する円弧状に設定されている。このため、前側上部取付板部３７１の下側の端縁３７１ａと破損突部３８６の経路との間隔は、破損突部３８６の進行する過程において一定でなく変動する設定とされている。具体的には、破損突部３８６の破損開始に近い左側端部において少ない間隔に設定され、破損突部３８６が進行するに従って次第にその間隔が拡張され、最後の端部において再度間隔が縮小される設定とされている。即ち、破損突部３８６の進行に応じて封印シール３１３の支持される端部から破損突部３８６が通過する位置までの距離が変動する設定とされている。このため、封印シール３１３の破損部分として皺になったり、引き裂かれたりする領域が破損突部３８６の進行経路に対して変化することとなる。これにより、封印シール３１３の破損の態様を多様にし、破損の復元作業を困難にすることができる。
【０１９２】
次に、図２４及び図２５を参照して、変形例について説明する。図２４及び図２５は、上記実施例に対する第１変形例から第４変形例を示した図である。まず、第１変形例について図２４を参照して説明する。図２４（ａ）は、第１変形例における基板ボックス５０１の右側部分の正面図であり、シールカバー部材５０２を断面視して示している。図２４（ｂ）は、図２４（ａ）の断面線において破損突部５２１と封印シール３１３とを拡大視した断面図であり、図２４（ｃ）は、前側取付板部５１１，５１２の隙間形状を示した図であり、図２４（ｄ）は、破断後の封印シール３１３の態様を示した図である。なお、以下の説明においては、上記実施例と同一の部分については同一の符号を付して説明を省略し、異なる部分のみについて説明する。
【０１９３】
上記実施例における破損用部材３５５は、回動可能に支持され、封印シール３１３の前面部４０１に沿って破損突部３８６が円弧に沿った曲線状に進行する一方、破損突部３８６が通過する隙間を形成する前側取付板部３７１，３７２の端縁３７１ａ，３７２ａは直線状に形成されていた。これに対し、第１変形例における破損突部５２１は、封印シール３１３の前面部４０１に沿って直線状に進行し、その進行方向に対して封印シール３１３が固定される前側取付板部５１１，５１２の端縁５１１ａ，５１２ａが平行とされずに折れ線状に形成されている。また、上記実施例における破損用部材３５５は、シールカバー部材３１９を取り外す前に破損用部材３５５により封印シール３１３を破損させるものであったが、第１変形例においては、シールカバー部材３１９の取り外し操作により破損用部材３５５が封印シール３１３を破損させる方向側へ移動する。この第１変形例においては、上記実施例に対して破損用部材５０３、シールカバー部材５０２及びボックスベース５０４の形状が異なるものである。
【０１９４】
破損用部材５０３は、ボックスベース５０４に対して基板ボックス５０１の外側に相当する右側のみにスライド移動可能とされてボックスベース５０４に取り付けられている。破損用部材５０３は、前後の取付板部５１１，５１２，３７３の間に取り付けられて前後方向への移動が制限され、破損用部材５０３のガイド壁部５２２が前側取付板部５１１，５１２の上下に位置して上下方向への移動が制限されている。
【０１９５】
破損用部材５０３の上下の端部には、２つの係止爪部５２３，５２４がそれぞれ設けられ、内側に位置する２つの係止爪部５２３により破損用部材５０３が初期位置に保持される。この保持構造は、上記実施例における破損用部材５０３の下部に設けられる上側の係止爪部３９５と同一の構成とされている。ボックスベース３５１には、内側の２つの係止爪部５２３に対応した受け部５１３が前側取付板部５１１，５１２の上側及び下側に突出して一体形成され、基板ボックス５０１の外側に相当する右側から破損用部材５０３を左側へスライド移動させることで進行方向先端側の傾斜面により係止爪部５２３が外側へ一旦押し出され、受け部５１３を乗り越えると元の位置に復帰して破損用部材５０３が初期位置に取り付けられて保持される。
【０１９６】
シールカバー部材５０２は、前後の取付板部５１１，５１２，３７３及び破損用部材５０３の前後、上下及び右側を覆いつつ、基板ボックス５０１への取付方向に相当する左側が開口した形状とされている。シールカバー部材５０２における開口端縁側の内面には、破損用部材５０３の上下の端部における外側の係止爪部５２４に係止可能なカバー側係止部５０２ａが設けられる。シールカバー部材５０２のカバー側係止部５０２ａが破損用部材５０３の係止爪部５２４に係止されることで、シールカバー部材５０２が基板ボックス５０１に取付固定される。
【０１９７】
また、破損用部材５０３においては、上記実施例における破損操作部３８５（図１７参照）が設けられず、シールカバー部材５０２においては、上記実施例における縦長の貫通穴４１２が閉鎖されて壁状に形成されている（図１８参照）。第１変形例における破損用部材５０３は、シールカバー部材５０２に対して基板ボックス５０１の外方側への外力を付加することでシールカバー部材５０２と共に、基板ボックス５０１の外方へ取り外され、破損突部５２１により封印シール３１３の前面部４０１が破損させられる。
【０１９８】
前側取付板部５１１，５１２の端縁５１１ａ，５１２ａは、図２４（ｃ）に拡大視して示すように、折れ線状に形成されている。直線状に進行する破損突部５２１の経路（図２４（ｃ）の一点鎖線）に対しては、前側取付板部５１１，５１２の端縁５１１ａ，５１２ａまでの距離が上下それぞれにおいて一定でなく変化する。また、破損突部５２１の経路に対して前側取付板部５１１，５１２の端縁５１１ａ，５１２ａは、それらの隙間が次第に増加した後に減少する極大部５１１ｂ，５１２ｂと、次第に減少した後に拡大する極小部５１１ｃ，５１２ｃとを有する設定とされている。破損突部５２１の経路と前側取付板部５１１，５１２の端縁５１１ａ，５１２ａとの距離は、上下で比較すると、ほぼ全域において異なる長さに設定されている。
【０１９９】
かかる設定で前側取付板部５１１，５１２の隙間を設けることにより、破損突部５２１の経路に対して前側取付板部５１１，５１２の端縁５１１ａ，５１２ａまでの距離の長短で破損の態様が変化し、更に、その距離が破損突部５２１の上下において異なる設定とされているので、破断線の進行方向を複雑にすることができる。また、破損突部５２１の経路の途中にその経路と端縁５１１ａ，５１２ａとの距離が極大又は極小となる極大部５１１ｂ，５１２ｂ及び極小部５１１ｃ，５１２ｃが設けられることでも封印シール３１３の破断線の態様を複雑にし、且つ、隙間の内側に突出した部分により凹みの奥側へ進行した破断線の修復を困難にすることができる。これらの封印シール３１３の破断線の態様が変化に富むことで、破損突部５２１が直線的に進行する場合であっても、封印シール３１３を破損前の状態に引き延ばして復元することが困難なものとすることができる。
【０２００】
また、破損突部５２１は、図２４（ｂ）に示すように、進行方向先端側（図２４（ｂ）の右側）に向いて封印シール３１３が当接する面側が略くの字状に形成され、進行方向後端側に凹んだ形をした一定の断面形状とされている。破損突部５２１における封印シール３１３との当接面の厚み、すなわち、封印シール３１３の板面に沿った幅は、略２ｍｍとされ、この幅方向（図２４（ｂ）の紙面垂直方向）の全域に封印シール３１３が当接して封印シール３１３が破損する。
【０２０１】
破損後の封印シール３１３は、図２４（ｄ）に示すように、破損突部５２１の経路部分が前側取付板部５１１，５１２に固定された部位とは別に削られて帯状の別部分を形成する。封印シール３１３の材質は、脆性を有する紙の材質とし、破損突部５２１の経路に対して前側取付板部５１１，５１２の端縁５１１ａ，５１２ａまでの距離は、左側端部に相当する破損開始直後では少なく設定し、また、封印シール３１３の板面に沿った破損突部５２１の幅が一定以上（例えば、２ｍｍ）に設定されている。これらの設定により、帯状に封印シール３１３が切除される態様としているのである。なお、封印シール３１３の材質が脆いほど、また、破損突部５２１の形状として上下幅が広いほど、破損後の封印シール３１３の一部が帯状に切除される態様とすることができる。また、封印シール３１３の板面に沿った破損突部５２１の幅方向において破損突部５２１が一定の形状とされる必要はなく、幅方向における中央部側が両端側に対して凹んだ形状としても、又は幅方向の両端側において進行方向先端側に位置した部位が離間して設けられても、破損後の封印シール３１３の一部が帯状に切除される態様とすることができる。封印シール３１３が帯状に破損すると、封印シール３１３を一見しただけで、基板ボックス３１１の開放操作がされた後であることを認識することができる。
【０２０２】
破損突部５２１の当接面の凹みの最奥となる底部５２１ａは、封印シール３１３の表面より前側に位置する設定とされている。そして、その底部５２１ａより封印シール３１３に近い側の当接面は、破損突部５２１の進行方向に対して封印シール３１３の裏面側に向けて傾斜した接着面側向面５２１ｂとされ、底部５２１ａより封印シール３１３から離間した側に連続する面は、封印シール３１３の表面側に向けて傾斜した表面側向面５２１ｃとして形成されている。
【０２０３】
ここで、封印シール３１３の前面部４０１における裏面側の面には、封印シール３１３を前側取付板部５１１，５１２に固定するための接着剤が設けられている。このため、破損突部５２１が進行した場合に接着面側向面５２１ｂに接着剤が付着し易く、その付着により封印シール３１３の変形及び破損が促進される。よって、基板ボックス５０１の開放操作をした後に封印シール３１３を元通りに近い見た目に復元する行為を困難にすることができる。また、帯状の破損部分が接着面側向面５２１ｂにより封印シール３１３の表面側に押し出されるため、基板ボックス５０１の開放操作がされた後であることを一層認識し易いものとすることができる。
【０２０４】
また、接着面側向面５２１ｂにより封印シール３１３の表面側に押し出された帯状の破損部分が表面側向面５２１ｃにより破損突部５２１の進行方向先端側に押し出される（図２４（ｂ）の矢印方向側）。よって、帯状の破損部分は、破損突部５２１の進行方向先端側に掻き集められるか、又はロール状に巻き回されて集約させられることで封印シール３１３の表面側に突出し易く、封印シール３１３の前面部４０１を正面側でなく斜め側方から視認したとしても、基板ボックス５０１の開放操作がされた後であることをより確実に認識可能とすることができる。
【０２０５】
次に、第２変形例から第４変形例について図２５を参照して説明する。図２５（ａ）は第２変形例における破損突部６０１周りを模式的に示した図であり、破損ベース６０２に破損突部６０１が支持される構造を示す下側から見た断面図を右側中央部に図示すると共に、その上下及び左側に側面図及び背面図と、図２５（ｂ）は、第２変形例における前側取付板部６１１，６１２の隙間形状を破損突部６０１の経路と共に示した図であり、図２５（ｃ）は、第２変形例における破損後の封印シール３１３を示した図であり、図２５（ｄ）及び図２５（ｅ）は、第３及び第４変形例における前側取付板部６２１，６２２，６３１，６３２の隙間形状を破損突部６０１の経路と共に示した図である。なお、図２５（ｂ）においては、破損突部６０１の進行方向先端側における幅に対応した経路を一点鎖線で示し、図２５（ｄ）及び図２５（ｅ）においては、破損突部６０１の進行方向先端側における中央部分の経路を一点鎖線で示している。
【０２０６】
第２変形例は、上記した第１変形例に対して、破損突部６０１が破損ベース６０２とは別に形成され、破損ベース６０２の進行に対して破損突部６０１がその進行方向に交差する上下方向に変位可能とした破損用部材６００が設けられている。そして、基板ボックスからのシールカバー部材５０２の取り外し操作により、破損突部６０１は、シールカバー部材５０２の取り外し方向側への移動とは別に上下に変位し、破損突部６０１の経路が封印シール３１３の前面部４０１に沿って折れ線状に形成される。また、破損突部６０１が進行途中において、上下方向へ移動制限が緩和されて移動可能な範囲が大きく設定され、その途中部分においては進行経路が破損操作毎に異なり易く設定されている。。
【０２０７】
破損突部６０１は、破損ベース６０２の後端部に軸ピンにより揺動可能に取り付けられた合成樹脂製の破損突片６０３の一部として形成されている。破損突片６０３には、一端側に破損突部６０１が設けられ、中央側に位置する本体部分において左右方向に延びる軸穴が形成され、他端側にガイド突部６０４が円柱状に突出して形成されている。ガイド突部６０４は、ボックスベースに対して前側取付板部６１１の裏面側に取り付けられるガイド壁部６１３に形成される溝内に入り込む長さに設定されている。ガイド壁部６１３の溝は、左右方向において上下に変位する折れ線状に形成され、図２５（ｂ）に示すように、封印シール３１３と交差する封印シール３１３の板面内にて破損突部６０１が上下に変位する折れ線状の経路に沿って進行可能に形成されている。また、ガイド壁部６１３は、ガイド突部６０４の進行可能な方向を制限する縁部分として、略中間部分を含む一部分において幅広の溝を形成する幅広形成部６１３ａを有している。幅広形成部６１３ａは、ガイド突部６０４の外形に対して十分な隙間が設けられるように、例えば、ガイド突部６０４の外形の略２倍の幅に設定されている。
【０２０８】
破損用部材６００が取り外し方向側に相当する右側へ移動すると、ガイド突部６０４がガイド壁部６１３の縁部分に当接し、ガイド壁部６１３の溝が連続する方向に沿ってガイド突部６０４が案内される。これにより、破損突部６０１が上側又は下側に変位しつつ右側へ移動することとなり、図２５（ｂ）に示すように、山谷が連続した折れ線状に破損突部６０１の経路が形成される。
【０２０９】
幅広形成部６１３ａが設けられる区間においては、ガイド壁部６１３によるガイド突部６０４の移動制限が少なくなってガイド突部６０４が破損突部６０１の進行方向に交差する上下方向へ移動可能な自由度が広くなる。このため、ガイド壁部６１３における溝を形成するいずれの縁部分に沿ってガイド突部６０４が進行するか、又は、その間部分を通過してガイド突部６０４が進行するかによって、封印シール３１３の破損する態様が変化することとなる。
【０２１０】
破損用部材６００が基板ボックスから取り外された場合には、第１変形例と同様に、破損突部６０１の経路に対応して帯状に封印シール３１３が切除される（図２５（ｃ）参照）。破損突部６０１の経路に相当する折れ線状の経路の内側部分は、上記実施例と同様、封印シール３１３が破損し易く、皺が形成されやすく、また、破断線の起伏が大きくなり易い。
【０２１１】
なお、必ずしも封印シール３１３が破損突部６０１の経路に対応して帯状に切除される必要はなく、破損突部６０１が通過しても封印シール３１３が部分的に切除されることなく上下に分断されるだけであっても良い。すなわち、破損突部６０１において封印シール３１３に当接する進行方向先端側における封印シール３１３の前面部４０１の板面に沿った幅が封印シール３１３を切除しない程度に細く設定されていても良い。
【０２１２】
ここで、破損突部６０１は、図２５（ａ）に示すように、進行方向に相当する左右方向に連続すると共に、封印シール３１３の前面部４０１の裏面側から表面側に連続する断面略矩形の柱状に形成されている。その破損突部６０１の後側（図２５（ａ）に左側）には、破損突部６０１より封印シール３１３の前面部４０１の板面に沿った方向側に幅が拡張され、進行方向後端側にて上下方向に突出する後側突出部６０５が設けられている。後側突出部６０５は、破損突部６０１における上下の面に対して上側及び下側に略垂直に突出して設けられている。
【０２１３】
後側突出部６０５は、破損突部６０１の通過により破損した封印シール３１３の破断部分に当接し、前側取付板部６１１，６１２の端縁６１１ａ，６１２ａ側へ押圧力を付与する。このため、破損突部６０１の進行により封印シール３１３が分断された間隔が拡張される。特に、破損突部６０１の経路において折れ線状の経路の内側部分は、破断線の起伏が大きく形成された部位が前側取付板部６１１，６１２の端縁６１１ａ，６１２ａ側へ押されることで、起伏した部分が封印シール３１３裏面の接着剤で前側取付板部６１１，６１２に付着したり、皺が形成された封印シール３１３の接着面同士が重なり合って接着剤で付着したりして、封印シール３１３の復元が一層困難なものとなる。
【０２１４】
第３変形例は、上記した第２変形例に対して、前側取付板部６２１，６２２の端縁６２１ａ，６２２ａの形状が異なる設定とされている。前側取付板部６２１，６２２には、図２５（ｄ）に示すように、折れ線状に形成された破損突部６０１の経路のうち下側に突出した折れ線の頂点に相当する部位において、その頂点を形成する経路の内側に相当する部位が破損突部６０１の経路から離間するように凹んだ凹部６２１ｂ，６２２ｂを有する形状とされている。これにより、封印シール３１３が前側取付板部６２１，６２２に接着される面積を拡大しつつ、破損突部６０１の経路における折れ線の内側部分は、支持部分から破損突部６０１までの距離を広く確保して復元が困難な破損部分を形成することができる。なお、第３変形例における破損突部６０１の経路は、折れ線状でなく、同一の方向側に起伏した曲線状としても同様の効果を奏するものとすることができる。
【０２１５】
第４変形例は、上記した第２変形例に対して、図２５（ｅ）に示すように、破損突部６０１の経路として折れ線と曲線とを組み合わせた経路が設定され、また、複数の山及び谷が連続した経路が設定されている。破損突部６０１の経路に対応して、第２変形例におけるガイド壁部６１３に対してガイド壁部は、異なる形状に設定される。折れ線と曲線とにおいてそれらの内側部分の破損が異なるものとされ、封印シール３１３の復元を一層困難なものとし、また、複数の山及び谷が連続することで、破損部分の起伏に破損突部６０１の経路の起伏が重畳した破断線が形成されるため、破損の態様が複雑化し、封印シール３１３の復元を一層困難なものとすることができる。
【０２１６】
なお、本発明は、上記実施形態に限られることはなく、例えば、以下に記載するように変形して実施しても良い。この場合に、以下に記載する各構成を上記実施形態に対して適用しても良く、以下に記載する複数の構成を組み合わせて上記実施形態に対して適用しても良い。
【０２１７】
上記実施形態においては、封印シール３１３は、主制御基板３１２を収容する基板ボックスに設けられる場合について説明したが、封印シール３１３が設けられるのは、主制御基板３１２を収容する基板ボックスに限らず、他の基板を収容する基板ボックスに対して設けても良く、他の基板ボックスを開放させる場合に封印シール３１３を破損させる破損用部材を設けても良い。また、封印シール３１３は、基板ボックスの開放を封印するものに限らず、複数の部品を分離不能に結合する他の部位、例えば、複数の構成体としての基板ボックス３１１とボックス連結部材３０１とに跨がって封印シール３１３を貼付可能な取付板部を設けると共に、この取付板部に貼付される封印シール３１３に対して破損用部材を設け、基板ボックス３１１がボックス連結部材３０１から取り外された痕跡を封印シール３１３により残存させる構成としても良い。また、必ずしも複数の構成体に跨がって封印シール３１３が固定される構成とする必要はなく、１の構成体に封印シール３１３が固定され、特定の操作をする場合に封印シール３１３が破損する構成としても良い。例えば、上記実施形態における前後の取付板部３７１〜３７３をボックスベースにより形成し、シールカバー部材３１９は、取り外さなければ基板ボックスの開放操作であるボックスベース３５１とボックスカバー３５２とを離間させられない形状としても良く、この場合においても破損用部材３５５を操作してからシールカバー部材３１９を取り外すこととなり、特定の操作をする場合に封印シール３１３を破損させることができる。
【０２１８】
上記実施形態においては、封印シール３１３が固定される面は、前後及び側方を向く３つの平面状に形成されたが必ずしも上記した形態で封印シール３１３の固定面を形成する必要はなく、平面状の一面に封印シール３１３の全体が貼付されても良いし、二面又は四面以上に跨がって封印シール３１３が貼付されても良い。また、封印シール３１３の固定面を曲率半径が大きな円弧状の断面形状を有するなど、平面に近い曲面形状に形成しても良い。この場合に、破損用部材３５５により破損させられる封印シール３１３の一部を含む面に対し、破損用部材３５５は、封印シール３１３の面に沿った方向に移動して封印シール３１３を破損させることが好ましく、曲面形状に封印シール３１３の固定面が形成されている場合には、封印シール３１３に沿った方向に対して破損用部材３５５の進行方向が略１０度以下の角度範囲内に設定されることが上記実施形態と同様の効果を奏するものとして好ましく、略５度以下の角度範囲内に設定されることが好適である。
【０２１９】
上記実施形態においては、封印シール３１３の裏面側に塗布された粘着剤により封印シール３１３が固定される構成としたが、必ずしも封印シール３１３の裏面側に接着剤を塗布する必要はなく、例えば、取付板部３７１〜３７３の表面に接着剤を塗布し、その接着剤により封印シール３１３を取付板部３７１〜３７３に接着する等、他の方法により封印シール３１３が固定されるものとしても良い。また、封印シール３１３が固定可能であれば、接着剤以外の接合剤など、他の材料により封印シール３１３を固定しても良い。ただし、接着剤は、空気に触れた場合に完全に乾燥して固化するものとはせず、封印シール３１３の裏面側において露出された接着剤の接着力が製造後においても残存するものとすることが、封印シール３１３の破損をより複雑にして復元を困難にすることができて好ましい。
【０２２０】
上記実施形態においては、封印シール３１３にアンテナ付きＩＣチップが設けられたが、必ずしも設ける必要はない。アンテナ付きＩＣチップが設けられる場合には、封印シール３１３が破損していない正常な状況ではＩＣチップの読み取り装置をシールカバー部材３１９に接触させるか、ほぼ接触する位置まで近づけなければＩＣチップに起電力が十分に生じない設定としても良い。封印シール３１３を不正に剥離しようとした場合に、封印シール３１３の破損に伴いアンテナが少しでも破損すると、ＩＣチップに十分な起電力が十分に生じない。アンテナと読み取り装置との距離は、シールカバー部材３１９により一定以下には近づけられないので、読み取り装置による情報の読み取りが異常となった場合には、封印シール３１３が破損しており、不正が行われた可能性があることを容易に検出することができる。
【０２２１】
上記実施形態においては、破損突部３８６，５２１，６０１は、破損用部材３５５，５０３，６００に１カ所ずつ設けられ、封印シール３１３の前面部４０１を１つの経路に沿って破損させる構成としたが、例えば、上記実施例の破損用部材３５５に対して上下に離間させて２以上の破損突部を設ける等して、封印シール３１３の前面部４０１を２以上の経路に沿って破損させるものとしても良い。この場合に、各破損突部に対応してそれぞれ前側取付板部により隙間を形成することにより、封印シール３１３の破損が複雑となり、また、封印シール３１３の復元が困難となるために好ましい。また、封印シール３１３の前面部４０１といった一面のみに対して破損突部による破損が生じるものとする必要はなく、封印シール３１３の前面部４０１と背面部４０２といった略平行に設けられる複数の面部に対して破損用部材の動作により各面部に沿った方向側に移動する破損突部を設け、封印シール３１３における複数の面部に破損が生じる設定としても良い。
【０２２２】
上記実施形態においては、破損突部３８６，５２１，６０１による封印シール３１３の板面に沿った方向側への移動による破損と、破損板金３８２により封印シール３１３の板面に交差する方向側への移動による破損とが生じるものとしたが、必ずしも破損用部材３５５，５０３，６００により封印シール３１３の板面に交差する方向側への移動による破損を生じさせる必要はない。例えば、上記実施例における破損用部材３５５に対して破損板金３８２を設けず、破損ベース３８１の形状としてベース軸受部３８３から破損突部３８６側に直線的に延びる形状とし、その先側に破損操作部を設けても良く、破損突部３８６による封印シール３１３の板面に沿った方向側への移動による破損のみが生じるものとしても良い。また、破損突部３８６による封印シール３１３の板面に沿った方向側への移動による破損により必ずしも封印シール３１３が分断される必要はなく、封印シール３１３の外縁から中央側において分断が生じない途中位置までの移動量でもシールカバー部材を移動して基板ボックスが開放可能となるものとしても良い。
【０２２３】
上記実施形態においては、封印シール３１３が貼付される内面側に破損用部材３５５，５０３，６００を設けて、表面側に突出する破損突部３８６，５２１，６０１を形成したが、破損用部材は、必ずしも封印シール３１３の内面側に設ける必要はなく、封印シール３１３の表面側に破損用部材を配置し、内面側に入り込むように突出させて封印シールを破損させる破損部を設けても良く、又は封印シール３１３の内面側と表面側の両側に破損用部材を設けて、その両側を接続するようにして破損部を設けても良い。
【０２２４】
上記第２変形例においては、破損突部６０１を有する破損突片６０３が破損ベース６０２に対して左右方向における軸を中心に軸支持されて上下に揺動し、破損突部６０１が上下に変位する構成としたが、破損ベース６０２に対して破損突部６０１を上下方向に変位可能とする構成は、上記に限らず、前後方向における軸を中心に破損突片を軸支持しても良いし、軸支持ではなく、破損ベースに対して破損突部を上下方向にスライド移動可能に支持する構成としても良いし、破損突部と破損ベースとの間に上下方向に弾性変形可能な板バネ等の弾性部材を介在させることで破損ベースに対して破損突部を上下に変位可能としても良い。
【０２２５】
上記第２から第４変形例において破損突部６０１の進行方向後端側にて進行方向に交差する上下方向に突出するようにして設けられた後側突出部６０５の構成を、上記実施例における破損突部３８６および上記第１変形例における破損突部５２１の進行方向後端側に対して付加しても良い。また、上記第２から第４変形例において破損突部６０１が進行方向に対して交差する上下方向に変位可能に支持する構成を上記実施例における破損突部３８６および上記第１変形例における破損突部５２１に対して付加し、上記実施例及び第１変形例における破損突部５２１の経路を上記した経路に対して上下への変位を加えたものとしても良い。また、上記第２変形例において破損突部６０１の進行経路に自由度を持たせて破損操作毎に経路が異なる易くした構成を、上記実施例及び第１変形例等において付加しても良く、例えば、上記実施例における破損用部材３５５のベース軸受部３８３とボックスベース３５１の軸支持部３７８との回動支持構造において、ベース軸受部３８３の内径と軸支持部３７８の外形との間に隙間を設けても、その隙間分、破損突部３８６が上下に移動可能となり、上記第２変形例と同様の効果を奏するものとすることができる。この破損操作毎に経路が異なるように設定した場合には、破損突部が進行経路において隙間を形成する取付板部の縁部分に当接可能に破損突部が移動する設定としても良く、これにより、破損した封印シール３１３が取付板部の縁部分に擦られることとなり易く、破損した封印シール３１３の復元を一層困難なものとすることができる。
【０２２６】
上記第１変形例においては、破損突部５２１の進行方向先端側を向く面として、接着面側向面５２１ｂと表面側向面５２１ｃとを設けたが、必ずしも表面側向面５２１ｃまでを設ける必要はなく、接着面側向面５２１ｂのみを設けても良い。また、上記第１変形例において破損突部５２１に設けた接着面側向面５２１ｂ又は接着面側向面５２１ｂと表面側向面５２１ｃとの組合せを上記実施例及び第２から第４変形例における破損突部３８６，６０１の進行方向先端側を向く面に形成しても良い。
【０２２７】
上記実施例及び上記第２から第４変形例においては、破損突部３８６，６０１が封印シール３１３の前面部４０１内において曲線状又は折れ線状に移動可能な経路に沿って進行可能に構成され、且つ、破損突部３８６，６０１が通過する隙間を形成する前側取付板部３７１，３７２，６１１，６１２，６２１，６２２に対して破損突部３８６，６０１の経路までの隙間が変動する設定としたが、前側取付板部３７１，３７２，６１１，６１２，６２１，６２２は、破損突部３８６，６０１の経路までの隙間を一定する端縁を有する形状、すなわち破損突部３８６，６０１の経路から上下に一定距離離間した位置に端縁を有する形状としても良く、この場合でも、曲線状又は折れ線状に進行する経路の外側と内側とにおいて破損の態様が異なるものとなり、封印シール３１３の復元を困難なものとすることができる。
【０２２８】
本発明を上記実施形態とは異なるタイプのパチンコ機等に実施しても良い。例えば、一度大当たりすると、それを含めて複数回（例えば２回、３回）大当たり状態が発生するまで、大当たり期待値が高められるようなパチンコ機（通称、２回権利物、３回権利物と称される。）として実施しても良い。また、大当たり図柄が表示された後に、所定の領域に球を入賞されることを必要条件として特別遊技状態となるパチンコ機として実施しても良い。また、大当たり等の抽選機能のないいわゆる普通機として採用されても良い。球が所定の入賞口に入ることで特別遊技状態となるパチンコ機として実施しても良い。また、球が循環する封入式のパチンコ機に実施しても良い。さらに、パチンコ機以外にも、アレンジボール型パチンコ、雀球、いわゆるパチンコ機とスロットマシンとが融合した遊技機等の各種遊技機として実施するようにしても良いし、スロットマシンとして実施しても良い。
【０２２９】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の遊技球の投入後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０２３０】
以下、上記した実施形態から抽出される発明群の特徴について、必要に応じて効果等を示しつつ説明する。なお以下においては、理解の容易のため、上記各実施形態において対応する構成を括弧書き等で適宜示すが、この括弧書き等で示した具体的構成に限定されるものではない。また、各特徴に記載した用語の意味や例示等は、同一の文言にて記載した他の特徴に記載した用語の意味や例示として適用しても良い。
【０２３１】
パチンコ遊技機やスロットマシン等の遊技機は、遊技制御処理を実行するＣＰＵ、遊技制御プログラムが記憶されたＲＯＭ、遊技の進行により発生する各種データを一時的に記憶するＲＡＭ等の各種電子部品が実装された制御基板を備えている。そして、ＲＯＭに記憶された制御プログラムに従って、ＣＰＵにより遊技機に搭載されている各種遊技機器が制御され、一連の遊技が実行される。この種の遊技機では、制御基板を正規のものとは異なる不正な制御基板に変更したり、ＲＯＭ（ＲＯＭがＣＰＵと共に１チップ化されている場合には当該チップ）を不正なものに交換したりする等の不正行為の発生が数多く報告されている。このような不正行為に対処すべく、例えば、基板ボックスを構成する複数のケース体を跨ぐように再貼付不可能であり且つ剥がすと痕跡が残る有脆弱性の封印シールを貼り付ける等の不正対策が採用されている（例えば特開２００３−１８０９１７号公報参照）。
【０２３２】
しかしながら、不正対策を施しても、その対策品に対して新たな不正行為をするための方法や器具等を犯罪者が開発する可能性がある。このため、不正対策の内容は更新され、より確実なものとするために改良することが好ましく、基板ボックスの開放操作は簡易にしつつも、その開放をした場合には、封印シールの再利用が不可能となって開放の痕跡が確実に残ることが好ましい。そして、この課題は、基板ボックスの開放操作などの特定操作を阻害するとともに、その阻害状態が解除された場合に、特定操作が行われたことの痕跡を残す痕跡手段を備えた遊技機に共通する課題である。
【０２３３】
本発明は、上記例示した事情等に鑑みてなされたものであり、特性操作の阻害状態が解除された痕跡をより確実に残すことが可能な遊技機を提供することを目的とするものである。
【０２３４】
＜特徴Ａ１＞
薄板シート状の痕跡手段（封印シール３１３）と、
該痕跡手段が固定される１又は複数の構成体（ボックスベース３５１，５０４、ボックスカバー３５２）と、
特定の操作により前記痕跡手段において予め定められた被破損部に当接し、該痕跡手段を破損させる破損部（破損突部３８６，６０１）を有する破損手段（破損用部材３５５，６００）と、
該破損手段を、前記特定の操作により予め定めた経路に沿って進行可能に支持する支持手段（上記実施例における軸支持部３７８、上記第２から第４変形例における取付板部６１１，６１２，６２１，６２２，３７３及び破損突片６０３を支持する軸ピン）とを備え、
前記痕跡手段は、前記被破損部を含む平面又は略平面状の第１痕跡面部（前面部４０１）を有し、
前記構成体は、前記被破損部が設けられる部位に隙間を形成し、該隙間の両側にて前記第１痕跡面部が固定される被取付部（前側取付板部３７１，３７２，６１１，６１２，６２１，６２２）を有し、
前記破損手段は、前記予め定めた経路として、前記第１痕跡面部に沿った方向側であって該第１痕跡面部内において曲線状又は折れ線状に移動可能な経路に沿って進行可能に前記支持手段により支持されていることを特徴とする遊技機。
【０２３５】
＜特徴Ａ２＞
複数の構成体が組み合わされて形成され、制御基板を収容する基板ボックス（基板ボックス３１１，５０１）と、
該基板ボックスの内部空間に前記制御基板が収容された状態で、前記基板ボックスを形成する１又は複数の構成体に設けられる薄板シート状の痕跡手段（封印シール３１３）と、
前記基板ボックスの開放に必要な特定の操作により前記痕跡手段において予め定められた被破損部に当接し、該痕跡手段を破損させる破損部（破損突部３８６，６０１）を有する破損手段（破損用部材３５５，６００）と、
該破損手段を、前記特定の操作により予め定めた経路に沿って進行可能に支持する支持手段（上記実施例における軸支持部３７８、上記第２から第４変形例における取付板部６１１，６１２，６２１，６２２，３７３及び破損突片６０３を支持する軸ピン）とを備え、
前記痕跡手段は、前記被破損部を含む平面又は略平面状の第１痕跡面部（前面部４０１）を有し、
前記１又は複数の構成体は、前記被破損部が設けられる部位に隙間を形成し、該隙間の両側にて前記第１痕跡面部が固定される被取付部（前側取付板部３７１，３７２，６１１，６１２，６２１，６２２）を有し、
前記破損手段は、前記予め定めた経路として、前記第１痕跡面部に沿った方向側であって該第１痕跡面部内において曲線状又は折れ線状に移動可能な経路に沿って前記破損部が進行可能に前記支持手段により支持されていることを特徴とする遊技機。
【０２３６】
特徴Ａ１及びＡ２記載の遊技機によれば、特定操作の阻害状態が解除された痕跡をより確実に残すことができ、複数の構成体が基板ボックスであって特定の操作が基板ボックスの開放に必要な操作の場合には、基板ボックスを簡易に開放可能としつつ、その開放の痕跡をより確実に残すことが可能な遊技機を提供することができる。すなわち、基板ボックスを開放する等の特定の操作によって痕跡手段の被破損部が破損手段により破損させられる。破損手段は、予め定めた経路として平面又は略平面状の第1痕跡面部に対して、その第１痕跡面部に沿った方向側に進行し、第１痕跡面部内において曲線状又は折れ線状に移動可能な経路に沿って進行する。薄板シート状の痕跡手段に対しては、曲線状又は折れ線状に進行する経路の外側と内側とにおいて異なる力が作用し、破損の態様が異なるものとされ、経路の内側部分において痕跡手段の破損が大きくなり易いものとなる。このため、不正行為として特定の操作をした後に痕跡手段を元通りに近い見た目に復元する行為を困難にして、不正行為の実行をより確実に検出可能とすることができ、また、不正行為の抑制もすることができる。
【０２３７】
なお、特徴Ａ１及びＡ２記載の遊技機において、「第１痕跡面部内において曲線状又は折れ線状に移動可能な経路」とは、第１痕跡面部における厚み方向に沿って第１痕跡面部を視認した状態において曲線状又は折れ線状に移動可能な経路を特定するものであり、第１痕跡面部の厚み方向において曲線状又は折れ線状に移動可能な経路ではない。また、「被取付部」は、複数の被取付部が別々に形成されて複数に分断された形状であっても良いし、溝状の隙間が設けられた被取付部であって隙間の一端側又は両端側において連続した一体式の被取付部であっても良い。
【０２３８】
＜特徴Ａ３＞
前記被取付部は、前記隙間として、曲線状又は折れ線状に前記隙間を通過する前記破損部に対して少なくとも一部の区間において経路の内側に位置する内側の端縁までの距離の方が経路の外側に位置する外側の端縁までの距離より大きな隙間を形成するものであることを特徴とする特徴Ａ１又はＡ２記載の遊技機。
【０２３９】
特徴Ａ３記載の遊技機によれば、破損部の経路における少なくとも一部の区間において破損部の経路の内側の端縁までの距離が外側より大きく設定されている。このため、限られた大きさの中で破損が大きくなり易い内側部分に対して破断線の進行する自由度を高めることができる。一方、破損部の経路の外側に位置する外側の端縁までの距離は狭く設定されるので、痕跡手段を破損させるために付加される力が痕跡手段の変形等によりロスしてしまう状態の発生が少なく、少ない力で確実に痕跡手段を破損させることができる。よって、被取付部のサイズの拡張を抑えつつ、痕跡手段の破損操作は容易にし、且つ、痕跡手段の第１痕跡面部における破損の態様を多様にして一旦破損した痕跡手段の復元作業を困難にすることができる。
【０２４０】
なお、特徴Ａ３に記載の「経路の内側」とは、円弧状又は曲線状の経路においては、その中心側に相当し、折れ線状の経路においては角部分の内側に相当する。
【０２４１】
＜特徴Ａ４＞
前記被取付部は、前記隙間として、前記破損部の経路における少なくとも一部の区間において前記破損部と前記内側の端縁との隙間が最大となり、その前後の方が前記破損部と前記内側の端縁との隙間が少なく設定された極大部（凹部６２１ｂ，６２２ｂ）を形成するものであることを特徴とする特徴Ａ３記載の遊技機。
【０２４２】
特徴Ａ４記載の遊技機によれば、破損部の経路に対して内側の端縁に極大部が形成されるので、隙間の大きさによる破損の態様の自由度が高く、更には、隙間が次第に増加し、その後に減少するために痕跡手段に付加される力と支持部分との相対位置が変動し、破損の態様が一層多様化され易い。よって固定的な破損の態様でなく、一旦破損した痕跡手段の復元作業を一層困難なものとすることができる。
【０２４３】
なお、特徴Ａ４記載の遊技機における極大部に重なる位置に、痕跡手段に設けられて痕跡手段を個別に管理可能な管理情報が付された管理情報表示部が配置され、破損部の通過により識別情報の少なくとも一部が確認不能すなわち読み取り装置により読み取り不要とされたり、一部の文字が切除されて確認不能とされることが、痕跡手段の再利用を不能とすることができて好ましい。
【０２４４】
＜特徴Ａ５＞
前記支持手段として、前記破損手段の破損部を、前記第１痕跡面部に沿った方向側であって前記隙間が連続する所定の方向と交差する別方向側へ移動可能に支持する交差方向支持手段（破損突片６０３を支持する軸ピン）が設けられ、
前記破損手段の一部（ガイド突部６０４）に対して前記破損手段の進行方向先端側より当接し、前記破損手段の破損部を前記曲線状又は折れ線状に移動可能な経路に沿った方向側へ案内する案内手段（ガイド壁部６１３）を備えていることを特徴とする特徴Ａ１からＡ４記載の遊技機。
【０２４５】
特徴Ａ５記載の遊技機によれば、隙間が連続する所定の方向と交差する別方向側へ移動可能に支持された破損手段の破損部は、案内手段に当接して曲線状又は折れ線状に移動可能な経路に沿った方向側へ案内される。このため、隙間の連続方向と交差する別方向側へ破損部を容易に移動させることができ、隙間を形成する被取付部と破損部の経路との距離を破損部の進行に対して細かく変化させる設定とすることができる。よって、曲線状又は折れ線状に破損部が移動する動作をより詳細に設定して、痕跡手段の再利用を一層困難なものとすることができる。
【０２４６】
＜特徴Ａ６＞
前記破損部に対して進行方向後端側において該破損部よりも前記内側の端縁との隙間が近くなる側に突出し、破損した痕跡手段に対して前記内側の端縁側への押圧力を付与可能な後側突出部（後側突出部６０５）が設けられていることを特徴とする特徴Ａ１からＡ５記載の遊技機。
【０２４７】
特徴Ａ６記載の遊技機によれば、破損した痕跡手段に対して後側突出部により内側の端縁側へ押圧力が付与される。よって、破損部の進行により痕跡手段が分断された間隔が拡張され、痕跡手段の破損を検査等において認識し易いものとすることができる。
【０２４８】
＜特徴Ｂ１＞
薄板シート状の痕跡手段（封印シール３１３）と、
該痕跡手段が固定される１又は複数の構成体（ボックスベース３５１，５０４、ボックスカバー３５２）と、
特定の操作により前記痕跡手段において予め定められた被破損部に当接し、該痕跡手段を破損させる破損部（破損突部３８６，５２１，６０１）を有する破損手段（破損用部材３５５，５０３，６００）と、
該破損手段を、前記特定の操作により予め定めた経路に沿って進行可能に支持する支持手段（上記実施例における軸支持部３７８、上記第１変形例における取付板部５１１，５１２，３７３、上記第２から第４変形例における取付板部６１１，６１２，６２１，６２２，３７３及び破損突片６０３を支持する軸ピン）とを備え、
前記痕跡手段は、前記被破損部を含む平面又は略平面状の第１痕跡面部（前面部４０１）を有し、
前記構成体は、前記被破損部が設けられる部位に隙間を形成し、該隙間の両側にて前記第１痕跡面部が固定される被取付部（前側取付板部３７１，３７２，５１１，５１２，６１１，６１２，６２１，６２２）を有し、
前記破損手段は、前記予め定めた経路として、前記第１痕跡面部に沿った方向側であって該第１痕跡面部内において前記破損部が進行可能に前記支持手段により支持され、
前記被取付部において前記隙間を形成する端縁の少なくとも一部は、前記予め定めた経路に沿って進行する前記破損部の経路に対しての距離が変動する形状とされていることを特徴とする遊技機。
【０２４９】
＜特徴Ｂ２＞
複数の構成体が組み合わされて形成され、制御基板を収容する基板ボックス（基板ボックス３１１，５０１）と、
該基板ボックスの内部空間に前記制御基板が収容された状態で、前記基板ボックスを形成する１又は複数の構成体に設けられる薄板シート状の痕跡手段（封印シール３１３）と、
前記基板ボックスの開放に必要な特定の操作により前記痕跡手段において予め定められた被破損部に当接し、該痕跡手段を破損させる破損部（破損突部３８６，５２１，６０１）を有する破損手段（破損用部材３５５，５０３，６００）と、
該破損手段を、前記特定の操作により予め定めた経路に沿って進行可能に支持する支持手段（上記実施例における軸支持部３７８、上記第１変形例における取付板部５１１，５１２，３７３、上記第２から第４変形例における取付板部６１１，６１２，６２１，６２２，３７３及び破損突片６０３を支持する軸ピン）とを備え、
前記痕跡手段は、前記被破損部を含む平面又は略平面状の第１痕跡面部（前面部４０１）を有し、
前記１又は複数の構成体は、前記被破損部が設けられる部位に隙間を形成し、該隙間の両側にて前記第１痕跡面部が固定される被取付部（前側取付板部３７１，３７２，５１１，５１２，６１１，６１２，６２１，６２２）を有し、
前記破損手段は、前記予め定めた経路として、前記第１痕跡面部に沿った方向側であって該第１痕跡面部内において前記破損部が進行可能に前記支持手段により支持され、
前記被取付部において前記隙間を形成する端縁の少なくとも一部は、前記予め定めた経路に沿って進行する前記破損部の経路に対しての距離が変動する形状とされていることを特徴とする遊技機。
【０２５０】
特徴Ｂ１及びＢ２記載の遊技機によれば、特定操作の阻害状態が解除された痕跡をより確実に残すことができ、複数の構成体が基板ボックスであって特定の操作が基板ボックスの開放に必要な操作の場合には、基板ボックスを簡易に開放可能としつつ、その開放の痕跡をより確実に残すことが可能な遊技機を提供することができる。すなわち、基板ボックスを開放する等の操作に必要な特定の操作によって痕跡手段の被破損部が破損手段により破損させられる。破損手段は、予め定めた経路として平面又は略平面状の第1痕跡面部に対して、その第１痕跡面部に沿った方向側に進行する。薄板シート状の痕跡手段は、平面が拡がる方向に沿った破損部の移動によって皺が寄り易く、痕跡手段の破損が大きくなり易い。
【０２５１】
ここで、被取付部において隙間を形成する端縁の少なくとも一部は、予め定めた経路に沿って進行する破損部の経路に対しての距離が変動する形状とされているため、痕跡手段に付加される力の入力位置と支持部分との相対位置が変動し、破損の態様が痕跡手段の進行過程において変化し易い。このため、不正行為として特定の操作をした後に痕跡手段を元通りに近い見た目に復元する行為ことを困難にして、不正行為の実行をより確実に検出可能とし、また、不正行為を抑制することができる。
【０２５２】
＜特徴Ｂ３＞
前記破損手段の破損部は、前記経路の進行方向先端側を向いた面が前記第１痕跡面部に当接し、該当接部分の幅として前記第１痕跡面部における前記破損部の通過した部位を帯状に切除可能な幅に設定されていることを特徴とする特徴Ｂ１又はＢ２記載の遊技機。
【０２５３】
特徴Ｂ３記載の遊技機によれば、痕跡手段が帯状に破損するため、特定の操作がされた後であることを認識し易くすることができる。
【０２５４】
＜特徴Ｂ４＞
前記痕跡手段の第１痕跡面部における前記被取付部側の面には、前記痕跡手段を前記被取付部に固定するための接着手段（接着剤）が設けられ、
前記破損手段の破損部は、前記痕跡手段に当接する部位として前記経路の進行方向先端側を向く面であって前記接着手段が設けられる面側に向けて傾斜した接着面側向面（接着面側向面５２１ｂ）を有する形状とされていることを特徴とする特徴Ｂ１からＢ３のいずれかに記載の遊技機。
【０２５５】
特徴Ｂ４記載の遊技機によれば、破損部が進行した場合に接着面側向面に接着手段が付着し易く、その付着により痕跡手段の変形及び破損が促進され、特定の操作をした後に痕跡手段を元通りに近い見た目に復元する行為を一層困難にすることができる。また、帯状の破損部分が接着面側向面により痕跡手段の表面側に押し出されるため、特定の操作がされた後であることを一層認識し易いものとすることができる。
【０２５６】
＜特徴Ｂ５＞
前記破損手段の破損部は、前記接着面側向面に対して前記第１痕跡面部における接着手段が設けられる側とは逆側の表面の向く方向側に連続し、前記経路の進行方向先端側を向く面であって前記痕跡手段の表面側に向けて傾斜した表面側向面（表面側向面５２１ｃ）を有する形状とされていることを特徴とする特徴Ｂ４記載の遊技機。
【０２５７】
特徴Ｂ５記載の遊技機によれば、接着面側向面により痕跡手段の表面側に押し出された帯状の破損部分が表面側向面により破損手段の進行方向先端側に押し出される。よって、帯状の破損部分は、破損手段の進行方向先端側に掻き集められるか、又はロール状に巻き回されて集約させられることで痕跡手段の表面側に突出し易く、第１痕跡面部を正面側でなく斜め側方から視認したとしても、特定の操作がされた後であることをより確実に認識可能とすることができる。
【０２５８】
なお、特徴Ａ１〜Ａ６及び特徴Ｂ１〜Ｂ５に記載のいずれか１つの特徴を他のいずれか又は複数の特徴に組み合わせて適用しても良い。以下には、上記した各特徴を適用し得る遊技機の基本構成を示す。
【０２５９】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０２６０】
スロットマシン等の回胴式遊技機：始動操作手段の操作に基づき周回体の回転を開始させ、停止操作手段の操作に基づき周回体の回転を停止させ、その停止後の絵柄に応じて遊技者に特典を付与する遊技機。
【産業上の利用可能性】
【０２６１】
以上のように、この発明は、パチンコ機やスロットマシン等の遊技機に適している。
【符号の説明】
【０２６２】
１０…パチンコ機、３１３…封印シール、３１１，５０１…基板ボックス、３５１，５０４…ボックスベース、３５２…ボックスカバー、３５５，５０３，６００…破損用部材、３７８…軸支持部、３８６，５２１，６０１…破損突部、３７１，３７２，５１１，５１２，６１１，６１２，６２１，６２２…前側取付板部、３７３…後側取付板部、４０１…前面部、５２１ｂ…接着面側向面、５２１ｃ…表面側向面、６０３…破損突片、６０４…ガイド突部、６０５…後側突出部、６１３…ガイド壁部、６２１ｂ，６２２ｂ…凹部
【図１】
2014158593.tif 000003
【図２】
2014158593.tif 000004
【図３】
2014158593.tif 000005
【図４】
2014158593.tif 000006
【図５】
2014158593.tif 000007
【図６】
2014158593.tif 000008
【図７】
2014158593.tif 000009
【図８】
2014158593.tif 000010
【図９】
2014158593.tif 000011
【図１０】
2014158593.tif 000012
【図１１】
2014158593.tif 000013
【図１２】
2014158593.tif 000014
【図１３】
2014158593.tif 000015
【図１４】
2014158593.tif 000016
【図１５】
2014158593.tif 000017
【図１６】
2014158593.tif 000018
【図１７】
2014158593.tif 000019
【図１８】
2014158593.tif 000020
【図１９】
2014158593.tif 000021
【図２０】
2014158593.tif 000022
【図２１】
2014158593.tif 000023
【図２２】
2014158593.tif 000024
【図２３】
2014158593.tif 000025
【図２４】
2014158593.tif 000026
【図２５】
2014158593.tif 000027